(57)【要約】【課題】複数の情報ブロック間の区切りを検出して区切り情報（例えばタイトル）を記録情報として追加記録したり、再生不可能な情報のダビング記録を自動的にスキップさせ、ダビング時の操作性を向上させる。【解決手段】ダビング元のＶＴＲ１０の磁気テープ１８から再生されるコントロール信号の発生間隔の不連続部位を情報ブロックの区切り部位としてコントロール信号不連続検出部１１ａにて検出し、ダビング先のＤＶＤ記録再生装置２０の区切り情報生成部２２ａにて、ダビング記録のために磁気テープ１８から情報記録部２４に転送されてくる情報ブロック識別用の区切り情報を生成して、光ディスク２８における前記区切り部位に相当する記録位置に記録させる。また、磁気テープ１８の無記録部や再生信号レベルが予め定めた閾値に満たない箇所を制御信号検出部１１にて検出して、ＤＶＤ記録再生装置２０の光ディスク２８への記録停止及び記録再開を制御する。【選択図】        図１
2004288300.tif 000002
【特許請求の範囲】
【請求項１】
光ディスク又は光磁気ディスクを記録媒体とし、該記録媒体に光ビームを照射して情報を記録・再生する光ディスク記録再生装置と、磁気テープに磁気ヘッドを当接させて情報を記録・再生する磁気記録再生装置とを、それぞれ独立して記録及び再生動作が可能で、且つ、両装置間で相互の情報をダビング記録動作が可能な状態に接続されている磁気テープ／光ディスク一体型記録再生装置において、前記磁気記録再生装置側の前記磁気テープから前記光ディスク記録再生装置側の前記記録媒体へ情報をダビング記録する際に、ダビング元となる前記磁気記録再生装置が、前記磁気テープから再生されるコントロール信号の発生間隔の不連続部位を、前記磁気テープに記録されている情報の情報ブロックの区切り部位として検出して、ダビング先となる前記光ディスク記録再生装置側へ転送するコントロール信号不連続検出手段を備え、ダビング先となる前記光ディスク記録再生装置が、ダビング記録するために前記磁気テープから転送されてくる情報に関する情報ブロック識別用の区切り情報を、前記コントロール信号不連続検出手段から転送されてきた前記区切り部位の検出結果に基づいて生成する区切り情報生成手段を備えて、該区切り情報生成手段により生成された前記区切り情報を、当該光ディスク記録再生装置の前記記録媒体にダビング記録する情報の前記区切り部位に相当する記録位置に記録させることを特徴とする磁気テープ／光ディスク一体型記録再生装置。
【請求項２】
請求項１に記載の磁気テープ／光ディスク一体型記録再生装置において、前記区切り情報生成手段により生成される前記区切り情報が、情報ブロックの内容を示すタイトル情報を含んでいることを特徴とする磁気テープ／光ディスク一体型記録再生装置。
【請求項３】
光ディスク又は光磁気ディスクを記録媒体とし、該記録媒体に光ビームを照射して情報を記録・再生する光ディスク記録再生装置と、磁気テープに磁気ヘッドを当接させて情報を記録・再生する磁気記録再生装置とを、それぞれ独立して記録及び再生動作が可能で、且つ、両装置間で相互の情報をダビング記録動作が可能な状態に接続されている磁気テープ／光ディスク一体型記録再生装置において、前記磁気記録再生装置側の前記磁気テープから前記光ディスク記録再生装置側の前記記録媒体へ情報をダビング記録する際に、ダビング元となる前記磁気記録再生装置が、前記磁気テープからの情報の再生可否状態を検出して、ダビング先となる前記光ディスク記録再生装置側へ転送する再生可否検出手段を備え、ダビング先となる前記光ディスク記録再生装置が、ダビング記録するために前記磁気テープから転送されてくる情報を、当該光ディスク記録再生装置の前記記録媒体に記録する際の記録開始信号及び記録停止信号を、前記再生可否検出手段から転送されてきた前記再生可否状態の検出結果に基づいて生成する記録開始／停止信号生成手段を備えて、前記再生可否状態として、前記再生可否検出手段から再生不可能状態を検出した旨が転送されてきた場合には、前記記録開始／停止信号生成手段により生成された記録停止信号により、当該光ディスク記録再生装置の前記記録媒体への情報の記録動作を停止させ、しかる後に、前記再生可否検出手段から再生可能状態を検出した旨が転送されてきた場合には、前記記録開始／停止信号生成手段により生成された記録開始信号により、当該光ディスク記録再生装置の前記記録媒体への情報の記録動作を再開させることを特徴とする磁気テープ／光ディスク一体型記録再生装置。
【請求項４】
請求項３に記載の磁気テープ／光ディスク一体型記録再生装置において、前記再生可否検出手段が、前記磁気テープに記録されている情報が存在していない無記録状態を検出した場合に、再生不可能状態として検出することを特徴とする磁気テープ／光ディスク一体型記録再生装置。
【請求項５】
請求項３又は４に記載の磁気テープ／光ディスク一体型記録再生装置において、前記再生可否検出手段が、前記磁気テープからの情報を再生する磁気ヘッドの再生信号の出力レベルが、予め設定された閾値レベルよりも低いレベルにある場合に、再生不可能状態として検出することを特徴とする磁気テープ／光ディスク一体型記録再生装置。
【請求項６】
請求項５に記載の磁気テープ／光ディスク一体型記録再生装置において、前記磁気記録再生装置側が、複数個の磁気ヘッドを同時にあるいは時分割的に切り替えて、前記磁気テープからの情報を再生する動作を行っている場合、前記再生可否検出手段が、複数個の磁気ヘッドのうち、いずれかの磁気ヘッドの再生信号の出力レベルが、予め設定された前記閾値レベルよりも低いレベルにある場合に、再生不可能状態として検出し、複数個の磁気ヘッド全ての再生信号の出力レベルが、該閾値レベル以上のレベルにある場合に、再生可能状態として検出することを特徴とする磁気テープ／光ディスク一体型記録再生装置。
【請求項７】
請求項６に記載の磁気テープ／光ディスク一体型記録再生装置において、前記再生可否検出手段により比較される前記閾値レベルが、複数個の磁気ヘッド毎にそれぞれ対応させて、別個に予め設定されていることを特徴とする磁気テープ／光ディスク一体型記録再生装置。
【請求項８】
請求項６又は７に記載の磁気テープ／光ディスク一体型記録再生装置において、複数個の前記磁気ヘッドとして、映像信号用磁気ヘッド及び／又は音声信号用ヘッドを含んでいることを特徴とする磁気テープ／光ディスク一体型記録再生装置。
【請求項９】
光ディスク又は光磁気ディスクを記録媒体とし、該記録媒体に光ビームを照射して情報を記録・再生する光ディスク記録再生装置と、磁気テープに磁気ヘッドを当接させて情報を記録・再生する磁気記録再生装置とを、それぞれ独立して記録及び再生動作が可能で、且つ、両装置間で相互の情報をダビング記録動作が可能な状態に接続されている磁気テープ／光ディスク一体型記録再生装置において、前記磁気記録再生装置側の前記磁気テープから前記光ディスク記録再生装置側の前記記録媒体へ情報をダビング記録する際に、あるいは、逆に、前記光ディスク記録再生装置側の前記記録媒体から前記磁気記録再生装置側の前記磁気テープへ情報をダビング記録する際に、ダビング元となる前記磁気記録再生装置あるいは前記光ディスク記録再生装置が、前記磁気テープあるいは前記記録媒体から再生される情報に含まれている不正コピーを防止するための不正コピー防止信号を検出する不正コピー防止信号検出手段を備え、該不正コピー防止信号検出手段により前記不正コピー防止信号が検出された場合、ダビング先となる前記光ディスク記録再生装置あるいは前記磁気記録再生装置へ情報を転送する動作を停止させることを特徴とする磁気テープ／光ディスク一体型記録再生装置。
【請求項１０】
請求項９に記載の磁気テープ／光ディスク一体型記録再生装置において、ダビング元となる前記磁気記録再生装置あるいは前記光ディスク記録再生装置に備えられている前記不正コピー防止信号検出手段が、前記不正コピー防止信号を検出した場合、検出された該不正コピー防止信号をダビング先となる前記光ディスク記録再生装置あるいは前記磁気記録再生装置に転送する転送手段を備え、ダビング先となる前記光ディスク記録再生装置あるいは前記磁気記録再生装置が、ダビング記録するために前記磁気テープあるいは前記記録媒体から転送されてくる情報を当該光ディスク記録再生装置の前記記録媒体あるいは当該磁気記録再生装置の前記磁気テープに記録する動作を停止させるコピー禁止信号を、前記不正コピー防止信号検出手段から転送されてきた前記不正コピー防止信号の検出結果に基づいて生成するコピー禁止信号生成手段を備えて、該コピー禁止信号生成手段で生成された前記コピー禁止信号により、当該光ディスク記録再生装置の前記記録媒体あるいは当該磁気記録再生装置の前記磁気テープへの記録動作を停止させることを特徴とする磁気テープ／光ディスク一体型記録再生装置。
【請求項１１】
光ディスク又は光磁気ディスクを記録媒体とし、該記録媒体に光ビームを照射して情報を記録・再生する光ディスク記録再生装置と、磁気テープに磁気ヘッドを当接させて情報を記録・再生する磁気記録再生装置とを、それぞれ独立して記録及び再生動作が可能で、且つ、両装置間で相互の情報をダビング記録動作が可能な状態に接続されている磁気テープ／光ディスク一体型記録再生装置において、前記磁気記録再生装置側の前記磁気テープから前記光ディスク記録再生装置側の前記記録媒体へ情報をダビング記録する際に、あるいは、逆に、前記光ディスク記録再生装置側の前記記録媒体から前記磁気記録再生装置側の前記磁気テープへ情報をダビング記録する際に、ダビング元となる前記磁気記録再生装置あるいは前記光ディスク記録再生装置が、前記磁気テープあるいは前記記録媒体から再生される情報の記録モードを検出して、ダビング先となる前記光ディスク記録再生装置あるいは前記磁気記録再生装置に転送する記録モード検出手段を備え、ダビング先となる前記光ディスク記録再生装置あるいは前記磁気記録再生装置が、ダビング記録するために前記磁気テープあるいは前記記録媒体から転送されてくる情報を、当該光ディスク記録再生装置の前記記録媒体あるいは当該磁気記録再生装置の前記磁気テープに記録するダビング側記録モードを、前記記録モード検出手段から転送されてきた前記記録モードの検出結果に基づいて生成する記録モード生成手段を備えて、該記録モード生成手段により生成された前記ダビング側記録モードにより、当該光ディスク記録再生装置の前記記録媒体あるいは当該磁気記録再生装置の前記磁気テープへの記録動作を実施させることを特徴とする磁気テープ／光ディスク一体型記録再生装置。
【請求項１２】
請求項１１に記載の磁気テープ／光ディスク一体型記録再生装置において、前記記録モード検出手段から転送されてきた前記記録モードが、標準の記録時間となる標準記録モードよりも長い記録時間となる長時間記録モードであった場合には、前記記録モード生成手段が、前記ダビング側記録モードとして、標準の記録時間となる標準モードを生成することを特徴とする磁気テープ／光ディスク一体型記録再生装置。
【請求項１３】
光ディスク又は光磁気ディスクを記録媒体とし、該記録媒体に光ビームを照射して情報を記録・再生する光ディスク記録再生装置と、磁気テープに磁気ヘッドを当接させて情報を記録・再生する磁気記録再生装置とを、それぞれ独立して記録及び再生動作が可能で、且つ、両装置間で相互の情報をダビング記録動作が可能な状態に接続されて、相互の情報をダビング記録する磁気テープ／光ディスク記録再生方法において、前記磁気記録再生装置側の前記磁気テープから前記光ディスク記録再生装置側の前記記録媒体へ情報をダビング記録する際に、ダビング元の前記磁気記録再生装置が、前記磁気テープから再生されるコントロール信号の発生間隔の不連続部位を、前記磁気テープに記録されている情報の情報ブロックの区切り部位として検出して、ダビング先となる前記光ディスク記録再生装置側へ転送し、ダビング先の前記光ディスク記録再生装置が、ダビング記録するために前記磁気テープから転送されてくる情報に関する情報ブロック識別用の区切り情報を、前記磁気記録再生装置側から転送されてきた前記区切り部位の検出結果に基づいて生成して、当該光ディスク記録再生装置の前記記録媒体にダビング記録する情報の前記区切り部位に相当する記録位置に記録させることを特徴とする磁気テープ／光ディスク記録再生方法。
【請求項１４】
光ディスク又は光磁気ディスクを記録媒体とし、該記録媒体に光ビームを照射して情報を記録・再生する光ディスク記録再生装置と、磁気テープに磁気ヘッドを当接させて情報を記録・再生する磁気記録再生装置とを、それぞれ独立して記録及び再生動作が可能で、且つ、両装置間で相互の情報をダビング記録動作が可能な状態に接続されて、相互の情報をダビング記録する磁気テープ／光ディスク記録再生方法において、前記磁気記録再生装置側の前記磁気テープから前記光ディスク記録再生装置側の前記記録媒体へ情報をダビング記録する際に、ダビング元となる前記磁気記録再生装置が、前記磁気テープからの情報の再生可否状態を検出して、ダビング先となる前記光ディスク記録再生装置側へ転送し、ダビング先となる前記光ディスク記録再生装置が、前記磁気記録再生装置側から転送されてきた前記再生可否状態の検出結果に基づいて、該再生可否状態として、再生不可能状態を検出した旨が転送されてきた場合には、記録停止信号を生成して、当該光ディスク記録再生装置の前記記録媒体への情報の記録動作を停止させ、しかる後に、再生可能状態を検出した旨が転送されてきた場合には、記録開始信号を生成して、当該光ディスク記録再生装置の前記記録媒体への情報の記録動作を再開させることを特徴とする磁気テープ／光ディスク記録再生方法。
【請求項１５】
光ディスク又は光磁気ディスクを記録媒体とし、該記録媒体に光ビームを照射して情報を記録・再生する光ディスク記録再生装置と、磁気テープに磁気ヘッドを当接させて情報を記録・再生する磁気記録再生装置とを、それぞれ独立して記録及び再生動作が可能で、且つ、両装置間で相互の情報をダビング記録動作が可能な状態に接続されて、相互の情報をダビング記録する磁気テープ／光ディスク記録再生方法において、前記磁気記録再生装置側の前記磁気テープから前記光ディスク記録再生装置側の前記記録媒体へ情報をダビング記録する際に、あるいは、逆に、前記光ディスク記録再生装置側の前記記録媒体から前記磁気記録再生装置側の前記磁気テープへ情報をダビング記録する際に、ダビング元となる前記磁気記録再生装置あるいは前記光ディスク記録再生装置が、前記磁気テープあるいは前記記録媒体から再生される情報に含まれている不正コピーを防止するための不正コピー防止信号を検出した場合、ダビング先となる前記光ディスク記録再生装置あるいは前記磁気記録再生装置へ情報を転送する動作を停止させることを特徴とする磁気テープ／光ディスク記録再生方法。
【請求項１６】
請求項１５に記載の磁気テープ／光ディスク記録再生方法において、ダビング元となる前記磁気記録再生装置あるいは前記光ディスク記録再生装置が、前記不正コピー防止信号を検出した場合、検出された該不正コピー防止信号をダビング先となる前記光ディスク記録再生装置あるいは前記磁気記録再生装置に転送し、ダビング先となる前記光ディスク記録再生装置あるいは前記磁気記録再生装置が、ダビング記録するために前記磁気テープあるいは前記記録媒体から転送されてくる情報を当該光ディスク記録再生装置の前記記録媒体あるいは当該磁気記録再生装置の前記磁気テープに記録する動作を停止させるコピー禁止信号を、ダビング元となる前記前記磁気記録再生装置あるいは前記光ディスク記録再生装置から転送されてきた前記不正コピー防止信号の検出結果に基づいて生成し、生成された前記コピー禁止信号により、当該光ディスク記録再生装置の前記記録媒体あるいは当該磁気記録再生装置の前記磁気テープへの記録動作を停止させることを特徴とする磁気テープ／光ディスク記録再生方法。
【請求項１７】
光ディスク又は光磁気ディスクを記録媒体とし、該記録媒体に光ビームを照射して情報を記録・再生する光ディスク記録再生装置と、磁気テープに磁気ヘッドを当接させて情報を記録・再生する磁気記録再生装置とを、それぞれ独立して記録及び再生動作が可能で、且つ、両装置間で相互の情報をダビング記録動作が可能な状態に接続されて、相互の情報をダビング記録する磁気テープ／光ディスク記録再生方法において、前記磁気記録再生装置側の前記磁気テープから前記光ディスク記録再生装置側の前記記録媒体へ情報をダビング記録する際に、あるいは、逆に、前記光ディスク記録再生装置側の前記記録媒体から前記磁気記録再生装置側の前記磁気テープへ情報をダビング記録する際に、ダビング元となる前記磁気記録再生装置あるいは前記光ディスク記録再生装置が、前記磁気テープあるいは前記記録媒体から再生される情報の記録モードを検出して、ダビング先となる前記光ディスク記録再生装置あるいは前記磁気記録再生装置に転送し、ダビング先となる前記光ディスク記録再生装置あるいは前記磁気記録再生装置が、ダビング記録するために前記磁気テープあるいは前記記録媒体から転送されてくる情報を、当該光ディスク記録再生装置の前記記録媒体あるいは当該磁気記録再生装置の前記磁気テープに記録するダビング側記録モードを、ダビング元となる前記磁気記録再生装置あるいは前記光ディスク記録再生装置側から転送されてきた前記記録モードの検出結果に基づいて生成して、生成された前記ダビング側記録モードにより、当該光ディスク記録再生装置の前記記録媒体あるいは当該磁気記録再生装置の前記磁気テープへの記録動作を実施させることを特徴とする磁気テープ／光ディスク記録再生方法。
【発明の詳細な説明】
【０００１】
【発明の属する技術分野】
本発明は、磁気テープ／光ディスク一体型記録再生装置及び磁気テープ／光ディスク記録再生方法に関し、特に、光ディスクや光磁気ディスクを記録媒体とし、該記録媒体に光ビームを照射して情報を記録・再生する光ディスク記録再生装置と、磁気テープを記録媒体とし、該磁気テープに磁気ヘッドを当接させて情報を記録・再生する磁気記録再生装置とを、それぞれ独立して記録及び再生動作が可能で、且つ、両装置間で相互の情報をダビング記録動作が可能な状態に接続している磁気テープ／光ディスク一体型記録再生装置及び磁気テープ／光ディスク記録再生方法に関する。
【０００２】
【従来の技術】
以下、光ディスク及び光磁気ディスクを記録媒体とし、該記録媒体に光ビームを照射して情報を記録・再生する光ディスク記録再生装置としてＤＶＤ録再機（ＤＶＤ録画再生装置）を、また、磁気テープを記録媒体とし、該磁気テープに磁気ヘッドを当接させて情報を記録・再生する磁気記録再生装置としてビデオテープレコーダ（ＶＴＲ）を例に取って、両装置間で情報のダビング記録を行う従来の技術について説明する。
【０００３】
ＶＴＲの磁気テープに記録されている情報をＤＶＤ録再機の光ディスクにダビング記録する場合の接続構成の従来例を図１２に示す。
図１２に示す従来の接続構成においては、それぞれ単独設置されているＶＴＲ３０とＤＶＤ録再機４０との情報入出力端子同士の間を接続コード（接続ケーブル）３０Ａ，３０Ｂにより外部接続した場合を示している。
ＶＴＲ３０の磁気テープに断続的に記録されている複数個の番組等の情報ブロックからなる情報をＤＶＤ録再機４０の光ディスクに転送してダビング記録する場合、一旦ＶＴＲ３０の磁気テープの記録情報（映像情報、音声情報）全てを、両機器間を接続している接続コード３０Ａ，３０Ｂを介して、それぞれ映像信号、音声信号として、丸ごとＤＶＤ録再機４０の光ディスクにダビング記録し、しかる後に、ＤＶＤ録再機４０に備えられている編集機能を活用して、ユーザ自らが、必要とする情報に関する編集を行っている。
【０００４】
ここで、図１２に示すような接続形式でダビング操作している場合、ＶＴＲ３０からＤＶＤ録再機４０に転送して光ディスクに記録された情報は、複数個の情報ブロックからなる情報であったとしても、単なる一つの連続的な情報とされている。
従って、ＤＶＤ録再機４０の編集機能を活用して、ユーザ自らが編集操作をする場合、光ディスクに記録された長時間に及ぶ一つの連続的な情報の中から、編集したい場面を探し出す作業が必要であり、また、記録済みのＶＴＲの磁気テープの中に無記録部等のダビングには無駄な部分があった場合、光ディスクに記録された情報の中から該無記録部等の無駄な部分を探し出して消去する作業が必要となっている。
もしくは、かかる操作の代わりに、ＶＴＲ３０とＤＶＤ録再機４０とを同時にユーザ自らが手動で操作して、ＶＴＲ３０の「再生」⇔「停止」を繰り返しながら、ダビングしたい場面を選択抽出して、ＤＶＤ録再機４０の「記録」⇔「停止」を繰り返すことにより、ダビング操作を行うことが必要であった。
【０００５】
また、ＶＴＲ３０の磁気テープ（あるいはカセットテープ）に記録されている情報の中に、例えばマイクロビジョン技術に代表されるような不正コピー防止機能を有する信号（不正コピー防止信号）が含まれている場合、ＶＴＲ３０単独で再生して視聴するような場合であれば、不正コピー防止信号を検知して、再生表示を中止するように一般的には構成されている。しかしながら、図１２に示すような接続構成により、ＶＴＲ３０側からＤＶＤ録再機４０側へ情報をダビングする場合、従来においては、ダビングのために、ＶＴＲ３０側からＤＶＤ録再機４０側に情報が転送されてしまい、ＤＶＤ録再機４０側は、転送されてきた情報を光ディスクへ録画する動作を継続してしまうように構成されていた。
【０００６】
また、図１２に示す接続構成により、例えば、ＶＴＲ３０の磁気テープ（あるいはカセットテープ）に記録された番組等の情報を、ＤＶＤ録再機４０の光ディスクにダビング記録する場合、従来においては、ユーザ自らが手動でＤＶＤ録再機４０のダビング用の記録モードを適宜設定していた。今、ＶＴＲ３０の磁気テープ（あるいはカセットテープ）に記録されている情報の記録モードが標準記録モード（ＳＰモード）ではなく、２倍記録モード（ＬＰモード）、３倍速記録モード（ＥＰモード）、５倍モードなどの長時間記録モードのいずれかであったとすると、磁気テープ（あるいはカセットテープ）に記録されている元々の情報の画質は、標準記録モード（ＳＰモード）の場合と比較して劣化した状態で記録されていることになる。
【０００７】
かくのごとき長時間記録モードで記録されていた情報を、ＤＶＤ録再機４０の光ディスクに、一般に品質が劣化する長時間記録モード（ＬＰモード、ＥＰモードなど）の記録モードに設定して録画すると、光ディスクに録画された情報は更なる画質劣化を余儀なくされる。
更に、ＶＴＲ３０の磁気テープに記録されている番組等の記録情報を繰り返して再生していると、ＶＴＲ３０の磁気テープ（あるいはカセットテープ）からの磁気記録再生信号の出力レベルが徐々に低下していく。ここで、ＶＴＲ３０の磁気テープに記録する情報に対する長時間記録モードとして記録時間が長い記録モードを用いるほど、磁気テープ（あるいはカセットテープ）からの磁気記録再生信号の出力レベルの低下は、より顕著となり、画質劣化もそれと共に進行していく。
【０００８】
従って、ＶＴＲ３０の磁気テープに記録されている情報を何度も繰り返して再生した場合、特に、ＶＴＲ３０の磁気テープ（あるいはカセットテープ）に記録された情報の記録モードが、標準記録モード（ＳＰモード）以外の、２倍記録モード（ＬＰモード）、３倍記録モード（ＥＰモード）、５倍モードなどの長時間記録モードであった場合、ＤＶＤ録再機４０のダビング用の記録モードとして２倍記録モード（ＬＰモード）や３倍記録モード（ＥＰモード）などの長時間記録モードでダビング録画した場合、ＶＴＲ３０の磁気テープに記録されていた情報の画質劣化の程度によっては、ダビング後のＤＶＤ録再機４０の光ディスクに記録された情報の画質が見るに絶えない画質となることがあり、ダビング操作を一からやり直すことにつながってしまう場合もあった。
【０００９】
また、従来のダビング記録技術に関しては、例えば、特許文献１に示す特開平７−３１２０２０号公報に記載されているような技術もある。該特許文献１には、同一装置内にディスク再生部（ビデオＣＤ再生部）と磁気記録再生部（ＶＴＲ部）とを備え、一つのボタンを押すだけでディスク再生部により再生された音声／映像の再生信号を磁気記録再生部にダビング記録を可能とするワンタッチダビング機能を備えた記録再生装置が開示されている。即ち、前記特許文献１によれば、ディスク再生部によりビデオＣＤの記録情報を再生して再生された記録情報を磁気記録再生部のビデオテープにダビングしたい場合に、キー操作部内に設けられたダビング操作ボタンを押しさえすれば、マイクロコンピュータからなる内部制御部がディスク再生部を再生状態にし、磁気記録再生部側を記録状態に自動的に切り替えさせて、ディスク再生部により再生された記録情報を磁気記録再生部に転送して、ビデオテープにダビングを実行させることができる。
【００１０】
【特許文献１】
特開平７−３１２０２０号公報（第２−３頁、図１）
【００１１】
【発明が解決しようとする課題】
しかしながら、従来技術においては、例えば、ＶＴＲの磁気テープ（あるいはカセットテープ）に記録されている番組等の記録情報を、ＤＶＤ録再機などの光ディスク記録再生装置の光ディスクにダビング記録する場合、一旦、ＶＴＲの磁気テープに記録されている全ての記録情報を光ディスク記録再生装置の光ディスクに記録した後、光ディスク記録再生装置の編集機能を活用して、ダビングしたい記録情報を編集するようなときに、ユーザにとって編集し易い情報、例えば、複数個の番組（情報ブロック）をＶＴＲの磁気テープに記録していた場合に、複数個の番組間に生じるコントロール信号の発生間隔の不連続性をＶＴＲ側で検出して、ＶＴＲからダビング先の光ディスク記録再生装置側へ転送することができなかった。従って、光ディスク記録再生装置の編集機能を用いて編集する場合に、ダビング記録した情報について、複数個の番組間を区切っている記録位置を容易には検知することができず、更には、各番組（情報ブロック）の識別用の区切り情報（例えば、タイトル情報など）を光ディスクに記録することも容易にはできなかった。
【００１２】
更に、前述のように、例えば、ＶＴＲの磁気テープ（あるいはカセットテープ）に記録されている番組等の記録情報を、光ディスク記録再生装置の光ディスクにダビング記録する場合、一旦、ＶＴＲの磁気テープに記録されている全ての記録情報を光ディスク記録再生装置の光ディスクに記録した後、光ディスク記録再生装置の編集機能を活用して、ダビングしたい記録情報を編集するようなときに、ユーザにとって不要となる情報、例えば、ＶＴＲの磁気テープに記録されている複数個の番組間のように無記録部が点在しているとしても、点在している該無記録部の位置をＶＴＲ側で検出して、ＶＴＲからダビング先の光ディスク記録再生装置側へ転送することができなかった。従って、光ディスク記録再生装置の編集機能を用いて編集する場合に、ダビング記録された情報の中から、無記録部などの不要な部分を一々検知して削除するような操作が必要であった。
【００１３】
更に、例えば、ＶＴＲの磁気テープに記録されている記録情報の中に、マイクロビジョン技術に代表されるような不正コピー防止信号が含まれている場合であっても、該不正コピー防止信号をＶＴＲ側で検出して、ダビングする情報の転送動作を抑止したり、あるいは、該不正コピー防止信号をＶＴＲからダビング先の光ディスク記録再生装置側へ転送することができなかった。従って、光ディスク記録再生装置の編集機能を用いて編集する場合に、記録が禁止されている情報が不正にダビング記録されていることを容易には認識することもできなかった。
【００１４】
更に、例えば、ＶＴＲの磁気テープに記録されている記録情報の記録モードが如何なる記録モードであるかをＶＴＲ側で検出して、ＶＴＲからダビング先の光ディスク記録再生装置側へ転送することができなかったため、光ディスク記録再生装置へのダビング時に、ＶＴＲ側における記録モードの如何に関わらず、ＤＶＤ録再機などの光ディスク記録再生装置側の記録モードを、ユーザが、適宜手動で設定していた。
【００１５】
しかしながら、前述したように、例えば、ＶＴＲの磁気テープに記録された記録情報の記録モードが、２倍記録モード（ＬＰモード）、３倍記録モード（ＥＰモード）、５倍記録モードなどの長時間記録モードであった場合、記録情報の画質が標準記録モード（ＳＰモード）で記録した場合と比較して劣化している状態にあり、加えて、ＶＴＲ側で繰り返し再生されていて、画質劣化が更に進行している状態に陥っている場合がある。かくのごとく、画質劣化が著しい記録情報であったとしても、光ディスク記録再生装置の光ディスクにダビング記録する際に、光ディスク記録再生装置の記録モードを、ユーザが、ＶＴＲ側における記録モードを知らないままに、手動で、ＬＰモード、ＥＰモードなどの長時間記録モードに設定してしまう場合も生じる。従って、ユーザが光ディスク記録再生装置の記録モードを長時間記録モードに設定してしまった場合、ＶＴＲの磁気テープに記録されている記録情報の画質劣化の程度如何によっては、ダビング記録後の光ディスクに記録された情報が、見るに絶えない画質レベルにまで劣化している場合もあり、ダビング操作を一から再度やり直すような事態も発生していた。
【００１６】
以上に説明したように、例えば、ＶＴＲのような磁気記録再生装置の１本の磁気テープ（あるいはカセットテープ）に記録されている複数個の番組等（情報ブロック）の情報全てを、ＤＶＤ録再機などの光ディスク記録再生装置の光ディスクに記録して、しかる後に、ダビングしたい情報の編集操作をするときに、編集したい場面を長時間に亘って探し求めたり、あるいは、ダビングする必要のない無記録部等を長時間に亘って探し求めて消去したり、あるいは、ＶＴＲと光ディスク記録再生装置とを同時に「停止」⇔「再生」／「記録」の操作を繰り返すことが必要となったりして、ダビング記録操作が、非常に面倒で、使い勝手が悪いという課題を有していた。
【００１７】
また、マイクロビジョン技術に代表されるような不正コピー防止信号が含まれている磁気記録再生装置の磁気テープの情報を光ディスク記録再生装置の光ディスクにダビングする場合、あるいは、逆に、不正コピー防止信号が含まれている光ディスク記録再生装置の光ディスクの情報を磁気記録再生装置の磁気テープにダビングする場合、不正コピー防止信号によりコピー動作が禁止されている情報、即ち、ユーザが意図しないようなダビング禁止情報までも、そのまま、光ディスクあるいは磁気テープにダビング記録されてしまい、結果として、後々、かかるコピー禁止情報を改めて消去する作業が生じて、使い勝手が悪いという課題も有していた。
【００１８】
更には、ダビング元の磁気記録再生装置の磁気テープあるいは光ディスク記録再生装置の光ディスクに記録されている情報の記録モードの如何に無関係に、ユーザが、ダビング先の光ディスク記録再生装置の光ディスクあるいは磁気記録再生装置の磁気テープにダビング記録する情報に関するダビング側記録モードとして長時間記録モードを指定しまう場合があり、光ディスクにダビング記録された情報の画質劣化が著しく、ダビング作業を再度一からやり直す操作が必要となる場合も発生してしまい、かかるやり直し操作はユーザにとって多大な労力を要するものであり、非常に面倒で、使い勝手が悪いという課題も有していた。
【００１９】
また、前記特許文献１に示される記録再生装置においては、一つのボタン（ダビング操作ボタン）を押すだけで、ディスク再生部（ビデオＣＤ再生部）のビデオＣＤの再生信号を磁気記録再生部（ＶＴＲ部）のビデオテープにダビングする、いわゆるワンタッチダビング手段が開示されているが、ワンタッチダビングのシステム動作のみの説明に留まり、ダビング処理時に複数個の情報ブロック間の区切り部位、あるいは、無記録部などの不要な部分を自動的に検出して、ダビングに必要な情報あるいは不要な情報を抽出したり、不正コピー防止を図ったり、あるいは、ダビング記録の際の記録モードの妥当性を検知するような具体的な信号処理方法については、何ら開示されていない。
【００２０】
本発明は、かかる課題を解決するためになされたものであり、ダビング元の磁気記録再生装置（例えば、ＶＴＲ）の磁気テープ（あるいはカセットテープ）に記録されているコントロール信号の発生間隔の不連続部位を、該磁気テープに記録されている情報の情報ブロック間の区切り部位として検出して、ダビング先の光ディスク記録再生装置（例えば、ＤＶＤ記録再生装置）側の記録媒体（例えば、光ディスク）にダビング記録する際に、例えば各情報ブロックを識別するタイトル等の番組情報を各情報ブロック識別用の区切り情報として、光ディスク等の記録媒体にダビング記録する情報の前記区切り部位の位置、即ち、各ダビング情報ブロックを区切っている位置に付加して書き込むなど、ダビングを所望する情報をより容易に検索可能とすることにより、ダビング後の編集等の操作を容易に行うことを可能にせんとするものである。
【００２１】
更に、本発明は、ダビング元の磁気記録再生装置（例えば、ＶＴＲ）の磁気テープ（あるいはカセットテープ）の無記録状態や、あるいは、磁気テープからの再生信号の出力レベルが低下した状態にあり、更なるダビング記録を重ねた情報が正常に再生可能の状態になり得るか否かを検出して、ダビング先の光ディスク記録再生装置（例えば、ＤＶＤ記録再生装置）側の記録媒体（例えば、光ディスク）にダビング記録する際に、該記録媒体にダビング記録すべき情報が、再生不可能状態として検出された場合には、ダビング先の記録媒体への記録動作を停止し、しかる後に、再生可能状態に変化したことが検出された場合には、ダビング先の記録媒体への記録動作を再開するなど、無駄な再生不可能な情報を削除した状態にしてダビング先の記録媒体にダビング記録することにより、ダビング後の編集等の操作を容易に行うことを可能にせんとするものである。
【００２２】
更に、本発明は、ダビング元の磁気記録再生装置（例えば、ＶＴＲ）の磁気テープ（あるいはカセットテープ）にマイクロビジョン技術に代表されるような不正コピー防止信号が含まれている場合、該不正コピー防止信号を検出して、ダビング先の光ディスク記録再生装置（例えば、ＤＶＤ記録再生装置）側の記録媒体（例えば、光ディスク）への記録動作を禁止することにより、誤記録を防止せんとするものである。逆に、ダビング元の光ディスク記録再生装置の記録媒体（例えば、光ディスク）に記録されている記録情報を、磁気記録再生装置の磁気テープ（あるいはカセットテープ）にダビング記録する際に、ダビング元の記録媒体の記録情報について不正コピー防止信号が含まれている場合についても、前述の場合と同様にして、ダビング先の磁気テープへのダビング記録動作を禁止することにより、誤記録を防止せんとするものである。
【００２３】
更に、本発明は、磁気記録再生装置（例えば、ＶＴＲ）の磁気テープ（あるいはカセットテープ）と光ディスク記録再生装置（例えば、ＤＶＤ記録再生装置）の記録媒体（例えば、光ディスク）との間で、いずれか一方の装置から他方の装置へとダビング記録する場合、ダビング記録を開始するに先立って、ダビング元となる再生側の装置の記録媒体に記録されている情報の記録モードを検出して、検出された該記録モードの情報に基づいて、ダビング先となる記録側の装置の記録媒体にダビング記録する情報の品質が極端な劣化を示すことがないように、自動的に、ダビング先となる記録側の装置の記録モード（即ち、ダビング側記録モード）を設定せんとするものである。
【００２４】
【課題を解決するための手段】
第１の技術手段は、光ディスク又は光磁気ディスクを記録媒体とし、該記録媒体に光ビームを照射して情報を記録・再生する光ディスク記録再生装置と、磁気テープに磁気ヘッドを当接させて情報を記録・再生する磁気記録再生装置とを、それぞれ独立して記録及び再生動作が可能で、且つ、両装置間で相互の情報をダビング記録動作が可能な状態に接続されている磁気テープ／光ディスク一体型記録再生装置において、前記磁気記録再生装置側の前記磁気テープから前記光ディスク記録再生装置側の前記記録媒体へ情報をダビング記録する際に、ダビング元となる前記磁気記録再生装置が、前記磁気テープから再生されるコントロール信号の発生間隔の不連続部位を、前記磁気テープに記録されている情報の情報ブロックの区切り部位として検出して、ダビング先となる前記光ディスク記録再生装置側へ転送するコントロール信号不連続検出手段を備え、ダビング先となる前記光ディスク記録再生装置が、ダビング記録するために前記磁気テープから転送されてくる情報に関する情報ブロック識別用の区切り情報を、前記コントロール信号不連続検出手段から転送されてきた前記区切り部位の検出結果に基づいて生成する区切り情報生成手段を備えて、該区切り情報生成手段により生成された前記区切り情報を、当該光ディスク記録再生装置の前記記録媒体にダビング記録する情報の前記区切り部位に相当する記録位置に記録させる磁気テープ／光ディスク一体型記録再生装置とすることを特徴とするものである。
【００２５】
第２の技術手段は、前記第１の技術手段に記載の磁気テープ／光ディスク一体型記録再生装置において、前記区切り情報生成手段により生成される前記区切り情報が、情報ブロックの内容を示すタイトル情報を含んでいる磁気テープ／光ディスク一体型記録再生装置とすることを特徴とするものである。
【００２６】
第３の技術手段は、光ディスク又は光磁気ディスクを記録媒体とし、該記録媒体に光ビームを照射して情報を記録・再生する光ディスク記録再生装置と、磁気テープに磁気ヘッドを当接させて情報を記録・再生する磁気記録再生装置とを、それぞれ独立して記録及び再生動作が可能で、且つ、両装置間で相互の情報をダビング記録動作が可能な状態に接続されている磁気テープ／光ディスク一体型記録再生装置において、前記磁気記録再生装置側の前記磁気テープから前記光ディスク記録再生装置側の前記記録媒体へ情報をダビング記録する際に、ダビング元となる前記磁気記録再生装置が、前記磁気テープからの情報の再生可否状態を検出して、ダビング先となる前記光ディスク記録再生装置側へ転送する再生可否検出手段を備え、ダビング先となる前記光ディスク記録再生装置が、ダビング記録するために前記磁気テープから転送されてくる情報を、当該光ディスク記録再生装置の前記記録媒体に記録する際の記録開始信号及び記録停止信号を、前記再生可否検出手段から転送されてきた前記再生可否状態の検出結果に基づいて生成する記録開始／停止信号生成手段を備えて、前記再生可否状態として、前記再生可否検出手段から再生不可能状態を検出した旨が転送されてきた場合には、前記記録開始／停止信号生成手段により生成された記録停止信号により、当該光ディスク記録再生装置の前記記録媒体への情報の記録動作を停止させ、しかる後に、前記再生可否検出手段から再生可能状態を検出した旨が転送されてきた場合には、前記記録開始／停止信号生成手段により生成された記録開始信号により、当該光ディスク記録再生装置の前記記録媒体への情報の記録動作を再開させる磁気テープ／光ディスク一体型記録再生装置とすることを特徴とするものである。
【００２７】
第４の技術手段は、前記第３の技術手段に記載の磁気テープ／光ディスク一体型記録再生装置において、前記再生可否検出手段が、前記磁気テープに記録されている情報が存在していない無記録状態を検出した場合に、再生不可能状態として検出する磁気テープ／光ディスク一体型記録再生装置とすることを特徴とするものである。
【００２８】
第５の技術手段は、前記第３又は第４の技術手段に記載の磁気テープ／光ディスク一体型記録再生装置において、前記再生可否検出手段が、前記磁気テープからの情報を再生する磁気ヘッドの再生信号の出力レベルが、予め設定された閾値レベルよりも低いレベルにある場合に、再生不可能状態として検出する磁気テープ／光ディスク一体型記録再生装置とすることを特徴とするものである。
【００２９】
第６の技術手段は、前記第５の技術手段に記載の磁気テープ／光ディスク一体型記録再生装置において、前記磁気記録再生装置側が、複数個の磁気ヘッドを同時にあるいは時分割的に切り替えて、前記磁気テープからの情報を再生する動作を行っている場合、前記再生可否検出手段が、複数個の磁気ヘッドのうち、いずれかの磁気ヘッドの再生信号の出力レベルが、予め設定された前記閾値レベルよりも低いレベルにある場合に、再生不可能状態として検出し、複数個の磁気ヘッド全ての再生信号の出力レベルが、該閾値レベル以上のレベルにある場合に、再生可能状態として検出する磁気テープ／光ディスク一体型記録再生装置とすることを特徴とするものである。
【００３０】
第７の技術手段は、前記第６の技術手段に記載の磁気テープ／光ディスク一体型記録再生装置において、前記再生可否検出手段により比較される前記閾値レベルが、複数個の磁気ヘッド毎にそれぞれ対応させて、別個に予め設定されている磁気テープ／光ディスク一体型記録再生装置とすることを特徴とするものである。
【００３１】
第８の技術手段は、前記第６又は第７の技術手段に記載の磁気テープ／光ディスク一体型記録再生装置において、複数個の前記磁気ヘッドとして、映像信号用磁気ヘッド及び／又は音声信号用ヘッドを含んでいる磁気テープ／光ディスク一体型記録再生装置とすることを特徴とするものである。
【００３２】
第９の技術手段は、光ディスク又は光磁気ディスクを記録媒体とし、該記録媒体に光ビームを照射して情報を記録・再生する光ディスク記録再生装置と、磁気テープに磁気ヘッドを当接させて情報を記録・再生する磁気記録再生装置とを、それぞれ独立して記録及び再生動作が可能で、且つ、両装置間で相互の情報をダビング記録動作が可能な状態に接続されている磁気テープ／光ディスク一体型記録再生装置において、前記磁気記録再生装置側の前記磁気テープから前記光ディスク記録再生装置側の前記記録媒体へ情報をダビング記録する際に、あるいは、逆に、前記光ディスク記録再生装置側の前記記録媒体から前記磁気記録再生装置側の前記磁気テープへ情報をダビング記録する際に、ダビング元となる前記磁気記録再生装置あるいは前記光ディスク記録再生装置が、前記磁気テープあるいは前記記録媒体から再生される情報に含まれている不正コピーを防止するための不正コピー防止信号を検出する不正コピー防止信号検出手段を備え、該不正コピー防止信号検出手段により前記不正コピー防止信号が検出された場合、ダビング先となる前記光ディスク記録再生装置あるいは前記磁気記録再生装置へ情報を転送する動作を停止させる磁気テープ／光ディスク一体型記録再生装置とすることを特徴とするものである。
【００３３】
第１０の技術手段は、前記第９の技術手段に記載の磁気テープ／光ディスク一体型記録再生装置において、ダビング元となる前記磁気記録再生装置あるいは前記光ディスク記録再生装置に備えられている前記不正コピー防止信号検出手段が、前記不正コピー防止信号を検出した場合、検出された該不正コピー防止信号をダビング先となる前記光ディスク記録再生装置あるいは前記磁気記録再生装置に転送する転送手段を備え、ダビング先となる前記光ディスク記録再生装置あるいは前記磁気記録再生装置が、ダビング記録するために前記磁気テープあるいは前記記録媒体から転送されてくる情報を当該光ディスク記録再生装置の前記記録媒体あるいは当該磁気記録再生装置の前記磁気テープに記録する動作を停止させるコピー禁止信号を、前記不正コピー防止信号検出手段から転送されてきた前記不正コピー防止信号の検出結果に基づいて生成するコピー禁止信号生成手段を備えて、該コピー禁止信号生成手段で生成された前記コピー禁止信号により、当該光ディスク記録再生装置の前記記録媒体あるいは当該磁気記録再生装置の前記磁気テープへの記録動作を停止させる磁気テープ／光ディスク一体型記録再生装置とすることを特徴とするものである。
【００３４】
第１１の技術手段は、光ディスク又は光磁気ディスクを記録媒体とし、該記録媒体に光ビームを照射して情報を記録・再生する光ディスク記録再生装置と、磁気テープに磁気ヘッドを当接させて情報を記録・再生する磁気記録再生装置とを、それぞれ独立して記録及び再生動作が可能で、且つ、両装置間で相互の情報をダビング記録動作が可能な状態に接続されている磁気テープ／光ディスク一体型記録再生装置において、前記磁気記録再生装置側の前記磁気テープから前記光ディスク記録再生装置側の前記記録媒体へ情報をダビング記録する際に、あるいは、逆に、前記光ディスク記録再生装置側の前記記録媒体から前記磁気記録再生装置側の前記磁気テープへ情報をダビング記録する際に、ダビング元となる前記磁気記録再生装置あるいは前記光ディスク記録再生装置が、前記磁気テープあるいは前記記録媒体から再生される情報の記録モードを検出して、ダビング先となる前記光ディスク記録再生装置あるいは前記磁気記録再生装置に転送する記録モード検出手段を備え、ダビング先となる前記光ディスク記録再生装置あるいは前記磁気記録再生装置が、ダビング記録するために前記磁気テープあるいは前記記録媒体から転送されてくる情報を、当該光ディスク記録再生装置の前記記録媒体あるいは当該磁気記録再生装置の前記磁気テープに記録するダビング側記録モードを、前記記録モード検出手段から転送されてきた前記記録モードの検出結果に基づいて生成する記録モード生成手段を備えて、該記録モード生成手段により生成された前記ダビング側記録モードにより、当該光ディスク記録再生装置の前記記録媒体あるいは当該磁気記録再生装置の前記磁気テープへの記録動作を実施させる磁気テープ／光ディスク一体型記録再生装置とすることを特徴とするものである。
【００３５】
第１２の技術手段は、前記第１１の技術手段に記載の磁気テープ／光ディスク一体型記録再生装置において、前記記録モード検出手段から転送されてきた前記記録モードが、標準の記録時間となる標準記録モードよりも長い記録時間となる長時間記録モードであった場合には、前記記録モード生成手段が、前記ダビング側記録モードとして、標準の記録時間となる標準モードを生成する磁気テープ／光ディスク一体型記録再生装置とすることを特徴とするものである。
【００３６】
第１３の技術手段は、光ディスク又は光磁気ディスクを記録媒体とし、該記録媒体に光ビームを照射して情報を記録・再生する光ディスク記録再生装置と、磁気テープに磁気ヘッドを当接させて情報を記録・再生する磁気記録再生装置とを、それぞれ独立して記録及び再生動作が可能で、且つ、両装置間で相互の情報をダビング記録動作が可能な状態に接続されて、相互の情報をダビング記録する磁気テープ／光ディスク記録再生方法において、前記磁気記録再生装置側の前記磁気テープから前記光ディスク記録再生装置側の前記記録媒体へ情報をダビング記録する際に、ダビング元の前記磁気記録再生装置が、前記磁気テープから再生されるコントロール信号の発生間隔の不連続部位を、前記磁気テープに記録されている情報の情報ブロックの区切り部位として検出して、ダビング先となる前記光ディスク記録再生装置側へ転送し、ダビング先の前記光ディスク記録再生装置が、ダビング記録するために前記磁気テープから転送されてくる情報に関する情報ブロック識別用の区切り情報を、前記磁気記録再生装置側から転送されてきた前記区切り部位の検出結果に基づいて生成して、当該光ディスク記録再生装置の前記記録媒体にダビング記録する情報の前記区切り部位に相当する記録位置に記録させる磁気テープ／光ディスク記録再生方法とすることを特徴とするものである。
【００３７】
第１４の技術手段は、光ディスク又は光磁気ディスクを記録媒体とし、該記録媒体に光ビームを照射して情報を記録・再生する光ディスク記録再生装置と、磁気テープに磁気ヘッドを当接させて情報を記録・再生する磁気記録再生装置とを、それぞれ独立して記録及び再生動作が可能で、且つ、両装置間で相互の情報をダビング記録動作が可能な状態に接続されて、相互の情報をダビング記録する磁気テープ／光ディスク記録再生方法において、前記磁気記録再生装置側の前記磁気テープから前記光ディスク記録再生装置側の前記記録媒体へ情報をダビング記録する際に、ダビング元となる前記磁気記録再生装置が、前記磁気テープからの情報の再生可否状態を検出して、ダビング先となる前記光ディスク記録再生装置側へ転送し、ダビング先となる前記光ディスク記録再生装置が、前記磁気記録再生装置側から転送されてきた前記再生可否状態の検出結果に基づいて、該再生可否状態として、再生不可能状態を検出した旨が転送されてきた場合には、記録停止信号を生成して、当該光ディスク記録再生装置の前記記録媒体への情報の記録動作を停止させ、しかる後に、再生可能状態を検出した旨が転送されてきた場合には、記録開始信号を生成して、当該光ディスク記録再生装置の前記記録媒体への情報の記録動作を再開させる磁気テープ／光ディスク記録再生方法とすることを特徴とするものである。
【００３８】
第１５の技術手段は、光ディスク又は光磁気ディスクを記録媒体とし、該記録媒体に光ビームを照射して情報を記録・再生する光ディスク記録再生装置と、磁気テープに磁気ヘッドを当接させて情報を記録・再生する磁気記録再生装置とを、それぞれ独立して記録及び再生動作が可能で、且つ、両装置間で相互の情報をダビング記録動作が可能な状態に接続されて、相互の情報をダビング記録する磁気テープ／光ディスク記録再生方法において、前記磁気記録再生装置側の前記磁気テープから前記光ディスク記録再生装置側の前記記録媒体へ情報をダビング記録する際に、あるいは、逆に、前記光ディスク記録再生装置側の前記記録媒体から前記磁気記録再生装置側の前記磁気テープへ情報をダビング記録する際に、ダビング元となる前記磁気記録再生装置あるいは前記光ディスク記録再生装置が、前記磁気テープあるいは前記記録媒体から再生される情報に含まれている不正コピーを防止するための不正コピー防止信号を検出した場合、ダビング先となる前記光ディスク記録再生装置あるいは前記磁気記録再生装置へ情報を転送する動作を停止させる磁気テープ／光ディスク記録再生方法とすることを特徴とするものである。
【００３９】
第１６の技術手段は、前記第１５の技術手段に記載の磁気テープ／光ディスク記録再生方法において、ダビング元となる前記磁気記録再生装置あるいは前記光ディスク記録再生装置が、前記不正コピー防止信号を検出した場合、検出された該不正コピー防止信号をダビング先となる前記光ディスク記録再生装置あるいは前記磁気記録再生装置に転送し、ダビング先となる前記光ディスク記録再生装置あるいは前記磁気記録再生装置が、ダビング記録するために前記磁気テープあるいは前記記録媒体から転送されてくる情報を当該光ディスク記録再生装置の前記記録媒体あるいは当該磁気記録再生装置の前記磁気テープに記録する動作を停止させるコピー禁止信号を、ダビング元となる前記前記磁気記録再生装置あるいは前記光ディスク記録再生装置から転送されてきた前記不正コピー防止信号の検出結果に基づいて生成し、生成された前記コピー禁止信号により、当該光ディスク記録再生装置の前記記録媒体あるいは当該磁気記録再生装置の前記磁気テープへの記録動作を停止させる磁気テープ／光ディスク記録再生方法とすることを特徴とするものである。
【００４０】
第１７の技術手段は、光ディスク又は光磁気ディスクを記録媒体とし、該記録媒体に光ビームを照射して情報を記録・再生する光ディスク記録再生装置と、磁気テープに磁気ヘッドを当接させて情報を記録・再生する磁気記録再生装置とを、それぞれ独立して記録及び再生動作が可能で、且つ、両装置間で相互の情報をダビング記録動作が可能な状態に接続されて、相互の情報をダビング記録する磁気テープ／光ディスク記録再生方法において、前記磁気記録再生装置側の前記磁気テープから前記光ディスク記録再生装置側の前記記録媒体へ情報をダビング記録する際に、あるいは、逆に、前記光ディスク記録再生装置側の前記記録媒体から前記磁気記録再生装置側の前記磁気テープへ情報をダビング記録する際に、ダビング元となる前記磁気記録再生装置あるいは前記光ディスク記録再生装置が、前記磁気テープあるいは前記記録媒体から再生される情報の記録モードを検出して、ダビング先となる前記光ディスク記録再生装置あるいは前記磁気記録再生装置に転送し、ダビング先となる前記光ディスク記録再生装置あるいは前記磁気記録再生装置が、ダビング記録するために前記磁気テープあるいは前記記録媒体から転送されてくる情報を、当該光ディスク記録再生装置の前記記録媒体あるいは当該磁気記録再生装置の前記磁気テープに記録するダビング側記録モードを、ダビング元となる前記磁気記録再生装置あるいは前記光ディスク記録再生装置側から転送されてきた前記記録モードの検出結果に基づいて生成して、生成された前記ダビング側記録モードにより、当該光ディスク記録再生装置の前記記録媒体あるいは当該磁気記録再生装置の前記磁気テープへの記録動作を実施させる磁気テープ／光ディスク記録再生方法とすることを特徴とするものである。
【００４１】
【発明の実施の形態】
以下に、本発明に係る磁気テープ／光ディスク一体型記録再生装置及び磁気テープ／光ディスク記録再生方法の実施形態の一例について、図面を参照しながら説明する。
なお、以下の実施例の説明に当たっては、本発明に係る磁気テープ／光ディスク一体型記録再生装置の一例として、一体化する磁気記録再生装置が、磁気テープに磁気ヘッドを当接させて情報を記録・再生するビデオテープレコーダ（ＶＴＲ）であり、また、一体化する光ディスク記録再生装置が、光ディスクを記録媒体として、該記録媒体に光ビームを照射して情報を記録・再生するＤＶＤ記録再生装置である場合を、例に取って説明することとする。しかし、本発明は、かかる装置に限るものではなく、例えば、光ディスク記録再生装置として、コンパクトディスク（ＣＤ）や光磁気ディスクを記録媒体とする記録再生装置であっても良いし、また、磁気記録再生装置として、磁気テープ（あるいはカセットテープ）に音声データを録音再生するテープレコーダであっても構わない。
【００４２】
まず、本発明に係る磁気テープ／光ディスク一体型記録再生装置及び磁気テープ／光ディスク記録再生方法の実施形態における第１の実施例について説明する。
図１には、本発明に係る磁気テープ／光ディスク一体型記録再生装置の実施例の一つであるＶＴＲ／ＤＶＤ一体型記録再生装置の関連回路部に関する第１の構成例を抽出して示している。
図１に示すＶＴＲ／ＤＶＤ一体型記録再生装置１の構成例に示すように、当該ＶＴＲ／ＤＶＤ一体型記録再生装置１は、ＶＴＲ１０とＤＶＤ記録再生装置２０とが一体化されて構成されており、ＶＴＲ１０は、制御信号検出部１１、情報再生部１３、情報記録部１４、再生アンプ１５、記録アンプ１６、磁気ヘッド１７、及び、磁気テープ１８から構成され、一方、ＤＶＤ記録再生装置２０は、制御信号生成部２２、情報再生部２３、情報記録部２４、再生アンプ２５、記録アンプ２６、ピックアップ２７、及び、光ディスク２８から構成されている。
【００４３】
更に、ＶＴＲ１０側の情報再生部１３からＤＶＤ記録再生装置２０側の情報記録部２４へ、逆に、ＤＶＤ記録再生装置２０側の情報再生部２３からＶＴＲ１０側の情報記録部１４へ、それぞれの記録媒体（磁気テープ１８、光ディスク２８）からの再生情報を転送することができるように構成されており、相互にダビング記録が可能となっている。
【００４４】
また、ＶＴＲ１０側の制御信号検出部１１には、磁気テープ１８の記録情報を再生する際に用いられるコントロール信号の発生間隔の不連続部位を、磁気テープ１８に記録された記録情報の情報ブロック毎の区切り部位として検出することができるコントロール信号不連続検出部１１ａが備えられており、コントロール信号不連続検出部１１ａにおけるコントロール信号の発生間隔の不連続部位の検出結果を、ＤＶＤ記録再生装置２０側の制御信号生成部２２に転送することができるように構成されている。
【００４５】
一方、制御信号生成部２２には、区切り情報生成部２２ａが備えられており、コントロール信号不連続検出部１１ａから転送されてくるコントロール信号の発生間隔の不連続部位の検出結果に応じて、該不連続部位を磁気テープ１８に記録されている記録情報の情報ブロック毎の区切り部位として、区切り情報生成部２２ａにより、光ディスク２８にダビング記録する情報の前記区切り部位に相当する記録位置（即ち、情報ブロック間を区切っている位置）に記録すべき区切り情報（例えば、タイトルなどの情報）を生成して、情報記録部２４、記録アンプ２６、ピックアップ２７を経由して、光ディスク２８に記録する。而して、以降において、光ディスク２８にダビング記録された情報を整理し直す際に、ユーザが記録情報の位置を容易に検出することが可能になると共に、記録情報の内容を識別し易くすることができる。
【００４６】
なお、ＶＴＲ１０の磁気テープ１８の記録情報をＤＶＤ記録再生装置２０側へ転送する動作を実行中にある際に、コントロール信号不連続検出部１１ａからコントロール信号の発生間隔の不連続状態の通知があった場合には、直ちに光ディスク２８へ区切り情報（例えば、タイトルなどの情報）の記録動作を行う代わりに、制御信号生成部２２が、コントロール信号の発生間隔の不連続を示す新たな制御信号を生成して、情報記録部２４、記録アンプ２６、ピックアップ２７を経由して、一旦光ディスク２８に記録することとし、ＶＴＲ１０からの情報転送が全て終了した後に、ＤＶＤ記録再生装置２０の編集機能を利用して光ディスク２８の記録内容を編集する場合に、光ディスク２８に記録されているコントロール信号の発生間隔の不連続を示す制御信号を検出した際に、区切り情報生成部２２ａにより、光ディスク２８の該制御信号の位置に書き込むべき区切り情報（例えば、ユーザが編集時に設定していたタイトルなどの情報）の記録動作を行わせるようにしても良い。
【００４７】
以下に、ＶＴＲ１０のコントロール信号について更に詳細に説明する。
ＶＴＲ１０により記録された記録済の磁気テープ１８（あるいはカセットテープ）には、パルス状の情報信号と共にコントロール信号が記録されており、磁気テープ１８の記録情報を再生する際に、磁気テープ１８の走行安定性をコントロールするために用いられている。
ＶＴＲ１０において磁気テープ１８の記録情報を再生する場合、磁気テープ１８に記録されているコントロール信号は、磁気ヘッド１７の一部のヘッドとして備えられているコントロールヘッド１７ｃから出力され、磁気ヘッド１７にある再生用磁気ヘッドにより再生された記録情報と共に、再生アンプ１５により増幅される。
【００４８】
ここに、図２は、ＶＴＲ１０の磁気テープ１８の記録情報を再生する場合におけるコントロール信号の信号波形の一例を示す波形図であり、通常の記録情報の再生時におけるコントロール信号の信号波形を示している。また、図３は、ＶＴＲ１０の磁気テープ１８の記録情報を再生する場合におけるコントロール信号の信号波形の他の例を示す波形図であり、上書き記録されている記録情報の再生時におけるコントロール信号の信号波形を示している。
図２（Ａ）及び図３（Ａ）は、それぞれ、情報を磁気テープ１８に記録する際に、コントロール信号を形成するために、コントロールヘッド１７ｃに入力されるパルス信号（パルス幅τ）を示しており、図示していない制御信号生成部より予め定められている一定の間隔（周期Ａ）で出力されて、コントロールヘッド１７ｃに入力され、磁気テープ１８に磁気記録される。
【００４９】
一方、図２（Ｂ）及び図３（Ｂ）は、それぞれ、磁気テープ１８から情報を再生する際のコントロール信号の信号波形を示しており、磁気テープ１８に磁気記録されたコントロール信号（パルス信号）をコントロールヘッド１７ｃにて再生したときの信号波形である。
即ち、図２（Ｂ）及び図３（Ｂ）のコントロール信号ｐ０，ｐ１，…に示すように、再生されるコントロール信号の発生間隔Ａは、記録モードが同一であれば、連続して記録されていた情報が終了するまでは、常に一定の間隔である。
【００５０】
次に、一旦情報記録がなされていた記録済みの磁気テープ１８の任意の位置から上書き記録した場合における、コントロール信号の記録再生状態について、図３を用いて説明する。
ＶＴＲ１０の磁気テープ１８は、上書きして繰返し記録・再生を行うことが可能である。
ここで、一般的なＶＴＲ１０は、図４に示すように、コントロールヘッド１７ｃを含む複数の磁気ヘッドからなるヘッドユニット１７Ａにより構成されている。
即ち、ヘッドユニット１７Ａは、例えば、コントロールヘッド１７ｃの他に、リニアオーディオヘッド１７−１，リニアオーディオイレーズヘッド１７−２，コントロールイレーズヘッド１７−３が主な構成要素とされて構成されているのが一般的である。
【００５１】
磁気テープ１８に上書き記録する場合、コントロール信号は磁気テープ１８の走行方向１８ａにおいてコントロールヘッド１７ｃの手前側の極近傍に設けられているコントロールイレーズヘッド１７−３にて、磁気テープ１８に記録されていた上書き以前のコントロール信号を一旦消去し、しかる後に、コントロールヘッド１７ｃにより、コントロール信号を新たに磁気テープ１８上に磁気記録している。
従って、ＶＴＲ１０の磁気テープ１８に上書き記録をした場合、コントロールヘッド１７ｃとコントロールイレーズヘッド１７−３との物理的な取付け位置の差、即ち、図４に示すＥの区間の存在に伴い、上書き開始／終了時点では、上書き前と上書き後のコントロール信号が重複する場合が生じてしまう。
【００５２】
かかるコントロール信号の重複する様子の一例を図３に戻って説明する。
ここで、図３（Ｂ）に示すコントロール信号ｐ０，ｐ１，…が記録されていた状態において、新たに図３（Ａ）に示すＢ点から上書きが開始されていた場合には、図３（Ｂ）に示すように、コントロール信号ｑ０，ｑ１，…のごとく一定間隔Ａでコントロール信号が出力されてくる。しかしながら、コントロール信号ｐ０とコントロール信号ｐ１とのごとく、上書き開始時点Ｂ点を挟むような区間においては、コントロールヘッド１７ｃとコントロールイレーズヘッド１７−３との物理的な区間Ｅにより、コントロールイレーズヘッド１７−３によるコントロール信号ｐ０，ｐ１の消去を実施することができず、図３（Ｂ）に示すように、上書きによる新たなコントロール信号ｑ０，ｑ１，…と先に記録済みのコントロール信号ｐ０，ｐ１，…との重複が生じてしまう。
【００５３】
従って、コントロール信号はｐ０，ｑ０，ｐ１，ｑ１，…の状態で再生されてくることになり、コントロール信号の発生間隔は、間隔Ｃ→間隔Ｄ→間隔Ｃ→…と、一定間隔Ａでは出力されないために、磁気テープ１８の安定走行を正常に制御することができない場合も生じる。
しかし、かくのごときコントロール信号の発生間隔の不連続が発生しているということは、ほとんどの場合、磁気テープ１８に記録されている番組等の情報内容が、コントロール信号の発生間隔の不連続が発生した前後において、上書きなどの結果により異なる情報ブロックの内容となっているとも解釈することができる。
【００５４】
以上のごとく、図１に示すＶＴＲ／ＤＶＤ一体型記録再生装置１においては、コントロール信号の発生間隔に不連続部位が発生していることをＶＴＲ１０の制御信号検出部１１のコントロール信号不連続検出部１１ａによって検出し、ダビング先となるＤＶＤ記録再生装置２０の制御信号生成部２２に転送することにより、制御信号生成部２２の区切り情報生成部２２ａにて、情報ブロック間の区切りを示すタイトル情報などの新しい付加情報を区切り情報として生成して、情報記録部２４により、記録情報の一部として光ディスク２８に記録することができる。
【００５５】
もって、ＶＴＲ１０の磁気テープ１８に記録されているコントロール信号の発生間隔の不連続部位を検出することにより、磁気テープ１８に記録されている記録情報の内容が異なる情報ブロックが存在していることを認識し、各情報ブロックの識別を容易にすることができる区切り情報（タイトルなどの情報）を、各情報ブロックを区切っている位置に追加した形で、光ディスク２８に記録させることにより、後の光ディスク２８の記録情報を探索したり、編集したりする作業をより容易に実施することができる。
【００５６】
次に、本発明に係る磁気テープ／光ディスク一体型記録再生装置及び磁気テープ／光ディスク記録再生方法の実施形態における第２の実施例について説明する。
図５には、本発明に係る磁気テープ／光ディスク一体型記録再生装置の実施例の一つであるＶＴＲ／ＤＶＤ一体型記録再生装置の関連回路部に関する第２の構成例を抽出して示している。
【００５７】
図５に示すＶＴＲ／ＤＶＤ一体型記録再生装置１′の構成例に示すように、当該ＶＴＲ／ＤＶＤ一体型記録再生装置１′は、図１に示すＶＴＲ／ＤＶＤ一体型記録再生装置１と同じように、ＶＴＲ１０′とＤＶＤ記録再生装置２０′とが一体化されて構成されており、ＶＴＲ１０′は、制御信号検出部１１′、情報再生部１３、情報記録部１４、再生アンプ１５、記録アンプ１６、磁気ヘッド１７′、及び、磁気テープ１８から構成され、一方、ＤＶＤ記録再生装置２０′は、制御信号生成部２２′、情報再生部２３、情報記録部２４、再生アンプ２５、記録アンプ２６、ピックアップ２７、及び、光ディスク２８から構成されている。
【００５８】
更に、ＶＴＲ１０′側の情報再生部１３からＤＶＤ記録再生装置２０′側の情報記録部２４へ、逆に、ＤＶＤ記録再生装置２０′側の情報再生部２３からＶＴＲ１０′側の情報記録部１４へ、それぞれの記録媒体（磁気テープ１８、光ディスク２８）からの再生情報を転送することができるように構成されており、相互にダビング記録が可能となっている。
【００５９】
ここで、図５に示すＶＴＲ／ＤＶＤ一体型記録再生装置１′の場合、図１に示すＶＴＲ／ＤＶＤ一体型記録再生装置１と異なり、ＶＴＲ１０′側の制御信号検出部１１′には、磁気テープ１８が無記録状態にあるか、あるいは、磁気ヘッド１７′からの再生信号の出力レベルが低下していて、更にダビング記録を重ねると正しく再生できない状態でダビングすることとなるか否かを示す再生可否状態を検出することができる再生可否検出部１１ｂが備えられており、再生可否検出部１１ｂにおける再生可否の検出結果を、ＤＶＤ記録再生装置２０′側の制御信号生成部２２′に転送することができるように構成されている。
【００６０】
また、ＶＴＲ１０′側の磁気ヘッド１７′は、磁気テープ１８に記録する映像情報を記録再生するための映像信号用ヘッド１７ａと、磁気テープ１８に記録する音声情報を記録再生するための音声信号用ヘッド１７ｂとが備えられている。なお、音声信号用ヘッド１７ｂとしては、高音質のＨｉＦｉ用音声信号用ヘッドであっても良く、かかる場合にあっては、映像信号用ヘッド１７ａ、音声信号用ヘッド１７ｂそれぞれにはチャンネルＣＨ１，ＣＨ２に対応して２個ずつの磁気ヘッドが設けられている。
【００６１】
一方、制御信号生成部２２′には、記録開始／停止信号生成部２２ｂが備えられており、再生可否検出部１１ｂから転送されてくる再生可否状態の検出結果に応じて、磁気テープ１８が無記録状態か、あるいは、磁気ヘッド１７′からの再生信号の出力レベルが低下していて、更にダビング記録を重ねると正しく再生できない状態にあるか否かを示す検出結果に基づいて、再生不可能状態という検出結果を通知されてきた以降、正しく再生することができることを示す検出結果、即ち、再生可能状態が検出されたという検出結果が得られるまで、記録開始／停止信号生成部２２ｂにより、光ディスク２８へのダビング記録動作を停止させる。
【００６２】
即ち、記録開始／停止信号生成部２２ｂは、再生可否検出部１１ｂから再生不可能状態という検出結果が転送されてきた際に記録停止信号を生成して、情報記録部２４を介して、光ディスク２８への記録動作を停止させ、一方、再生不可能状態から再生可能状態への変化が検出された際に、記録開始信号を生成し、情報記録部２４を介して、光ディスク２８への記録動作を再開させる。而して、光ディスク２８には無駄な再生不可能な情報（例えば、無記録状態や再生信号の出力レベルが極端に低下した状態にある情報）が存在しない状態に自動的に記録情報を整理させることができる。
【００６３】
なお、ＶＴＲ１０′の磁気テープ１８の記録情報をＤＶＤ記録再生装置２０′側へ転送する動作を実行中の際に、再生可否検出部１１ｂからの再生不可能状態の通知があった場合には、直ちに光ディスク２８の記録停止動作を行う代わりに、制御信号生成部２２′が、再生不可能を示す新たな制御信号を生成して、情報記録部２４、記録アンプ２６、ピックアップ２７を経由して、一旦光ディスク２８に記録することとし、ＶＴＲ１０′からの情報転送が全て終了した後に、ＤＶＤ記録再生装置２０′の編集機能を利用して光ディスク２８の記録内容を編集する場合に、光ディスク２８に記録されている再生不可能を示す制御信号を検出した際に、記録開始／停止信号生成部２２ｂにより、記録停止信号を出力させて、光ディスク２８の記録動作を停止させ、再生不可能を示す制御信号が検出されなくなった際に、記録開始／停止信号生成部２２ｂにより、記録開始信号を出力させて、光ディスク２８の記録動作を再開させるように動作させても良い。
【００６４】
以下に、ＶＴＲ１０′の動作について、映像信号用ヘッド１７ａ及び音声信号用ヘッド１７ｂが、それぞれ２つのＣＨ（チャンネル）から構成されていて、図５には図示していない制御信号生成部により生成されるヘッドスイッチングパルスにより、予め設定されている周期に応じて、ＣＨ１とＣＨ２とを交互に切り替えて、高画質、高音質の情報を記録再生することができる場合を例に取って更に詳細に説明する。
図５に示すように、ＶＴＲ１０′の記録済の磁気テープ１８から記録情報を再生する場合、磁気ヘッド１７′の映像信号用ヘッド１７ａ及び音声信号用ヘッド１７ｂにて検出された出力信号が、再生アンプ１５により増幅されて、しかる後に、情報再生部１３にて、それぞれ、映像情報及び音声情報に変換される。
【００６５】
図６には、ＶＴＲ１０′の映像信号用ヘッド１７ａ及び音声信号用ヘッド１７ｂの出力波形とヘッドスイッチングパルス信号との関係を模式的に示している。
図６において、Ｏ１，Ｏ２，Ｏ３，Ｏ４，…は、映像信号用ヘッド１７ａ及び音声信号用ヘッド１７ｂからの再生信号の出力レベルを示しており、Ｓｗは、ヘッドスイッチングパルス信号を示している。即ち、ヘッドスイッチングパルス信号ＳｗがＬｏｗレベルにある場合は、ＣＨ１側の磁気ヘッドが選択され、逆に、Ｈｉｇｈレベルにある場合は、ＣＨ２側の磁気ヘッドが選択される。従って、映像信号用ヘッド１７ａ及び音声信号用ヘッド１７ｂの出力レベルＯ１，Ｏ３，…の再生信号は、ＣＨ１側の磁気ヘッドからの出力であり、出力レベルＯ２，Ｏ４，…の再生信号は、ヘッドスイッチングパルス信号Ｓｗにより交互に時分割的に切り替えられて、ＣＨ２側の磁気ヘッドからの出力となっている。
【００６６】
一般的なＶＴＲ１０′においては、磁気テープ１８の記録情報を再生する場合、前述のように、ヘッドスイッチングパルス信号Ｓｗにより、予め設定されている一定時間毎に、２つの映像信号用磁気ヘッドＣＨ１，ＣＨ２の出力及び２つの音声信号用磁気ヘッドＣＨ１，ＣＨ２の出力を周期的に切り替えて再生し、周期的に区切られている区間毎に交互に再生されるＣＨ１、ＣＨ２の出力を合成させることにより、映像情報や音声情報を形成している。即ち、図６に示すＣＨ１の映像信号用ヘッド１７ａ及び音声信号用ヘッド１７ｂの出力レベルＯ１，Ｏ３，…の再生信号と、ＣＨ２の映像信号用ヘッド１７ａ及び音声信号用ヘッド１７ｂの出力レベルＯ２，Ｏ４，…の再生信号とが組み合わされて、映像情報や音声情報が形成される。
このように、ＣＨ１とＣＨ２の出力が時間的に連続的に組み合わされていくことにより、再生される映像情報や音声情報に連続性が生じ、高画質・高音質の映像・音声情報を出力することができる。
【００６７】
一方、ＶＴＲ１０′の磁気テープ１８に映像や音声が記録されていない無記録部を再生しようとする場合、図６の０レベルに示す破線Ｎのように、映像信号用ヘッド１７ａ及び音声信号用ヘッド１７ｂのＣＨ１、ＣＨ２のいずれの出力も共に０レベルであり、再生信号は何ら出力されない。
【００６８】
また、ＶＴＲ１０′の磁気テープ１８の再生中に、ＣＨ１，ＣＨ２の２つの磁気ヘッドからなっている映像信号用ヘッド１７ａ及び音声信号用ヘッド１７ｂに目詰まり等の異常が発生している場合、磁気ヘッドの目詰まりが、ＣＨ１，ＣＨ２の映像信号用ヘッド１７ａ及び音声信号用ヘッド１７ｂ全てに同時に発生してしまうとは限らない。
図７には、一例として、ＶＴＲ１０′のＣＨ２側の映像信号用ヘッド１７ａに目詰まりが発生したと仮定した場合における映像信号用ヘッド１７ａの出力波形とヘッドスイッチングパルス信号Ｓｗとの関係を模式的に示している。
【００６９】
ここで、ＶＴＲ１０′は、ＣＨ１，ＣＨ２の２つの磁気ヘッドがそれぞれ正常に動作して、ＣＨ１とＣＨ２との磁気ヘッドから、再生信号の出力が予め設定されている周期で交互に得られている場合に、初めて、正常な映像信号やＨｉＦｉ音声信号を形成することができるものであるので、ＣＨ１，ＣＨ２の２つの映像信号用ヘッド１７ａ及び音声信号用ヘッド１７ｂのどれか１つにでも磁気ヘッドの目詰まり等の異常が発生したとすると、正常な映像信号やＨｉＦｉ音声信号は得られない。
【００７０】
従って、  図５に示すＶＴＲ／ＤＶＤ一体型記録再生装置１′においては、ＣＨ１，ＣＨ２の２つずつの映像信号用ヘッド１７ａ及び音声信号用ヘッド１７ｂのそれぞれに対して、各磁気ヘッド毎の出力検波機構を備えさせて、例えば、図７の一点鎖線Ｔで示すように、各磁気ヘッド毎に対応させて適切な閾値レベルを予め定めておき、それぞれの磁気ヘッドの出力レベルと、各磁気ヘッド毎に設定されている閾値レベルＴとをそれぞれ比較することにより、当該磁気ヘッドに目詰まり等の異常が発生しているか否かを検知して、例えば、閾値レベルＴよりも小さい出力レベルの磁気ヘッド（即ち異常発生磁気ヘッド）の場合は、  “０”を、閾値レベルＴ以上の出力レベルの磁気ヘッド（即ち正常磁気ヘッド）の場合は、“１”を、ヘッド異常信号として生成して、各磁気ヘッド毎に、制御信号検出部１１′の再生可否検出部１１ｂに送出するように構成している。
【００７１】
前述のごときヘッド異常信号を各磁気ヘッド毎に受信する再生可否検出部１１ｂは、全ての磁気ヘッドが正常に動作しているか否かを図８（Ａ）に示すような基本的な論理回路を用いることにより判定し、再生の可能状態／不可能状態を示す再生可否情報Ｓを生成し、ＤＶＤ記録再生装置２０′の制御信号生成部２２′へ転送する。
ここで、図８は、ＶＴＲ１０′側に設けられた再生可否検出部１１ｂの回路構成の一例を説明するための検出回路（図８（Ａ））と、該検出回路の真理値表（図８（Ｂ））とを示している。
なお、図８（Ａ）に示す検出回路の一方のＮＡＮＤ回路Ｎ１への入力Ｖ１，Ｖ２は、それぞれ、映像信号用ヘッド１７ａのＣＨ１，ＣＨ２の磁気ヘッドから出力されてくるヘッド異常信号を示し、検出回路の他方のＮＡＮＤ回路Ｎ２への入力Ａ１，Ａ２は、それぞれ、音声信号用ヘッド１７ｂのＣＨ１，ＣＨ２の磁気ヘッドから出力されてくるヘッド異常信号を示している。
【００７２】
図８（Ｂ）の真理値表に示すように、図８（Ａ）の検出回路は、映像信号用ヘッド１７ａのＣＨ１，ＣＨ２の各磁気ヘッド及び音声信号用ヘッド１７ｂのＣＨ１，ＣＨ２の各磁気ヘッドに関する全てのヘッド異常信号（Ｖ１，Ｖ２，Ａ１，Ａ２）が正常であることを示す“１”の信号レベルにある場合に限り、再生可否情報Ｓは、再生可能状態であることを示す“０”レベルの情報が得られることになる。
即ち、図８（Ｂ）の真理値表において、ヘッド異常信号（Ｖ１，Ｖ２，Ａ１，Ａ２）の全てが、“１”レベルにあるＳ１の状態は、全ての磁気ヘッドが正常に再生信号を出力して、ＶＴＲ１０′が正常な再生状態にあることを示し、図８（Ａ）の検出回路による演算結果である再生可否情報Ｓは、再生可能であることを示す“０”レベルとなる。
【００７３】
また、ヘッド異常信号（Ｖ１，Ｖ２，Ａ１，Ａ２）の全てが、“０”レベルにあるＳ２の状態は、ＶＴＲ１０′に装着された磁気テープ１８が無記録状態にあるとみなすことができ、演算結果である再生可否情報Ｓは、再生不可能であることを示す“１”レベルとなる。ヘッド異常信号（Ｖ１，Ｖ２，Ａ１，Ａ２）が前述の２つの状態以外にあるＳ３の状態は、ヘッド異常信号（Ｖ１，Ｖ２，Ａ１，Ａ２）の一部が“０”レベルにある場合であり、“０”レベルにある磁気ヘッドに目詰まり等の異常が発生して出力レベルが予め設定されている閾値レベルＴよりも小さくなって、正常な映像情報やＨｉＦｉ音声情報を得ることができない状態にあるものとみなすことができ、演算結果である再生可否情報Ｓは、やはり“１”レベルとなる。
【００７４】
即ち、ＶＴＲ１０′の磁気テープ１８に映像情報や音声情報が全く記録されていなかったり、いずれかの磁気ヘッド１７′（映像信号用ヘッド１７ａ及び音声信号用ヘッド１７ｂ）の目詰まり等により磁気ヘッド１７′の出力レベルが低下してしまっているような場合であっても、正常な映像情報やＨｉＦｉ音声情報が得られていないものと判定して、ＤＶＤ記録再生装置２０′の光ディスク２８へのダビング記録動作を停止させることができる。
【００７５】
以上のごとく、図５に示すＶＴＲ／ＤＶＤ一体型記録再生装置１′においては、磁気テープ１８の記録情報をダビング記録するために再生する際に、複数個設置されていて、同時にあるいは時分割的に切り替えられて使用される複数個の各磁気ヘッド１７′から再生される再生信号の出力レベル全てが、磁気ヘッド毎にそれぞれに対応して予め定められた閾値レベル以上のレベルにあるか否かをＶＴＲ１０′の制御信号検出部１１′の再生可否検出部１１ｂによって検出し、ダビング記録側であるＤＶＤ記録再生装置２０′の制御信号生成部２２′に転送することにより、制御信号生成部２２′の記録開始／停止信号生成部２２ｂにて作成されている記録開始信号及び記録停止信号を用いて、磁気テープ１８上の全く記録がない部分や正常な再生ができない部分を削除した形に編集し直して、光ディスク２８に記録するように自動的にコントロールすることができる。
【００７６】
もって、ＶＴＲ１０′の磁気テープ１８に映像情報や音声情報が記録されていない無記録部や、磁気ヘッド１７′の目詰まり等の原因から、一部の磁気ヘッド１７′の出力が低下してしまって、更にダビング記録した情報が正しく再生することができないような品質劣化部などを、無駄に光ディスク２８へダビング記録してしまう事態を排除し、光ディスク２８へのダビング記録情報をきれいに整理することができる。
【００７７】
次に、本発明に係る磁気テープ／光ディスク一体型記録再生装置及び磁気テープ／光ディスク記録再生方法の実施形態における第３の実施例について説明する。
図９には、本発明に係る磁気テープ／光ディスク一体型記録再生装置の実施例の一つであるＶＴＲ／ＤＶＤ一体型記録再生装置の関連回路部に関する第３の構成例を抽出して示している。
【００７８】
図９に示すＶＴＲ／ＤＶＤ一体型記録再生装置１″の構成例に示すように、当該ＶＴＲ／ＤＶＤ一体型記録再生装置１″は、図１に示すＶＴＲ／ＤＶＤ一体型記録再生装置１と同じように、ＶＴＲ１０″とＤＶＤ記録再生装置２０″とが一体化されて構成されており、ＶＴＲ１０″は、制御信号検出部１１″、制御信号生成部１２″、情報再生部１３、情報記録部１４、再生アンプ１５、記録アンプ１６、磁気ヘッド１７″、及び、磁気テープ１８から構成され、一方、ＤＶＤ記録再生装置２０″は、制御信号検出部２１″、制御信号生成部２２″、情報再生部２３、情報記録部２４、再生アンプ２５、記録アンプ２６、ピックアップ２７、及び、光ディスク２８から構成されている。
【００７９】
更に、ＶＴＲ１０″側の情報再生部１３からＤＶＤ記録再生装置２０″側の情報記録部２４へ、逆に、ＤＶＤ記録再生装置２０″側の情報再生部２３からＶＴＲ１０″側の情報記録部１４へ、それぞれの記録媒体（磁気テープ１８、光ディスク２８）からの再生情報を転送することができるように構成されており、相互にダビング記録が可能となっている。
【００８０】
ここで、図９に示すＶＴＲ／ＤＶＤ一体型記録再生装置１″の場合、図１に示すＶＴＲ／ＤＶＤ一体型記録再生装置１と異なり、ＶＴＲ１０″側の制御信号検出部１１″には、磁気テープ１８に記録されている記録情報の中に、例えば映像情報の中に、マイクロビジョン技術に代表されるような不正コピー防止機能を有する信号が含まれているか否かを検出することができる不正コピー防止信号検出部１１ｃが備えられており、不正コピー防止信号検出部１１ｃにおける不正コピー防止信号の検出結果を、ダビング先のＤＶＤ記録再生装置２０″側の制御信号生成部２２″に転送することができるように構成されている。
【００８１】
一方、ＤＶＤ記録再生装置２０″側の制御信号生成部２２″には、コピー禁止信号生成部２２ｃが備えられており、不正コピー防止信号検出部１１ｃから転送されてくる不正コピー防止信号の検出結果に応じて、磁気テープ１８の記録情報に不正コピー防止信号が含まれていた場合には、コピー禁止信号生成部２２ｃにより、コピー禁止信号を生成して、情報記録部２４に出力し、光ディスク２８へのダビング記録動作を自動的に禁止させる。而して、不正コピーを禁止されているような記録情報を光ディスク２８に不用意にダビングしてしまうような事態の発生を、自動的に、未然に防止することができる。
【００８２】
また、不正コピー防止信号検出部１１ｃにおいて、不正コピー防止信号を検出した場合、前述のように、ダビング先のＤＶＤ記録再生装置２０″のコピー禁止信号生成部２２ｃへ該不正コピー防止信号を転送する代わりに、ダビング元の当該ＶＴＲ１０″の情報再生部１３へ送出することにより、磁気テープ１８から再生された記録情報を、該情報再生部１３から相手側のＤＶＤ記録再生装置２０″の情報記録部２４へ転送する動作を禁止させるように構成することとしても良い。
【００８３】
なお、ＤＶＤ記録再生装置２０″側にも、制御信号検出部２１″として不正コピー防止信号検出部２１ｃが備えられており、ＤＶＤ記録再生装置２０″の光ディスク２８の記録情報を、ＶＴＲ１０″の磁気テープ１８にダビングする場合も、前述のＶＴＲ１０″側と同様に、不正コピー防止信号検出部２１ｃにおいて、光ディスク２８の記録情報の中に、不正コピー防止用の信号が含まれているか否かを検出して、不正コピー防止信号が含まれていた場合には、ダビング先のＶＴＲ１０″側の制御信号生成部１２″に転送し、制御信号生成部１２″に備えられているコピー禁止信号生成部１２ｃにより、コピー禁止信号を生成して、磁気テープ１８への記録動作を自動的に禁止させることができる。
【００８４】
更に、ＶＴＲ″側の場合と同様に、不正コピー防止信号検出部２１ｃにおいて、不正コピー防止信号を検出した場合、前述のように、ダビング先のＶＴＲ１０″のコピー禁止信号生成部１２ｃへ該不正コピー防止信号を転送する代わりに、ダビング元の当該ＤＶＤ記録再生装置２０″の情報再生部２３へ送出することにより、光ディスク２８から再生された記録情報を、該情報再生部２３から相手側のＶＴＲ１０″の情報記録部１４へ転送する動作を禁止させるように構成することとしても良い。
【００８５】
次に、本発明に係る磁気テープ／光ディスク一体型記録再生装置及び磁気テープ／光ディスク記録再生方法の実施形態における第４の実施例について説明する。
図１０には、本発明に係る磁気テープ／光ディスク一体型記録再生装置の実施例の一つであるＶＴＲ／ＤＶＤ一体型記録再生装置の関連回路部に関する第４の構成例を抽出して示している。
【００８６】
図１０に示すＶＴＲ／ＤＶＤ一体型記録再生装置１３′の構成例に示すように、当該ＶＴＲ／ＤＶＤ一体型記録再生装置１３′は、図１に示すＶＴＲ／ＤＶＤ一体型記録再生装置１と同じように、ＶＴＲ１０３′とＤＶＤ記録再生装置２０３′とが一体化されて構成されており、ＶＴＲ１０３′は、制御信号検出部１１３′、制御信号生成部１２３′、情報再生部１３、情報記録部１４、再生アンプ１５、記録アンプ１６、磁気ヘッド１７、及び、磁気テープ１８から構成され、一方、ＤＶＤ記録再生装置２０３′は、制御信号検出部２１３′、制御信号生成部２２３′、情報再生部２３、情報記録部２４、再生アンプ２５、記録アンプ２６、ピックアップ２７、及び、光ディスク２８から構成されている。
【００８７】
更に、ＶＴＲ１０３′側の情報再生部１３からＤＶＤ記録再生装置２０３′側の情報記録部２４へ、逆に、ＤＶＤ記録再生装置２０３′側の情報再生部２３からＶＴＲ１０３′側の情報記録部１４へ、それぞれの記録媒体（磁気テープ１８、光ディスク２８）からの再生情報を転送することができるように構成されており、相互にダビング記録が可能となっている。
【００８８】
ここで、図１０に示すＶＴＲ／ＤＶＤ一体型記録再生装置１３′の場合、図１に示すＶＴＲ／ＤＶＤ一体型記録再生装置１と異なり、ＶＴＲ１０３′側の制御信号検出部１１３′には、磁気テープ１８に記録されている記録情報の記録モードを検出することができる記録モード検出部１１ｄが備えられており、記録モード検出部１１ｄにおける記録モードの検出結果を、ＤＶＤ記録再生装置２０３′側の制御信号生成部２２３′に転送することができるように構成されている。
【００８９】
一方、制御信号生成部２２３′には、記録モード生成部２２ｄが備えられており、記録モード検出部１１ｄから転送されてくる磁気テープ１８の記録情報に関する記録モードの検出結果に応じて、記録モード生成部２２ｄにより、光ディスク２８にダビング記録する際の記録モードを生成して、情報記録部２４に出力し、生成された記録モードにより光ディスク２８へ記録動作を実施させる。
【００９０】
而して、例えば、ＶＴＲ１０３′の磁気テープ１８に記録されていた記録情報が、２倍記録モード（ＬＰモード）や３倍記録モード（ＥＰモード）、５倍記録モードのような長時間記録モードで記録されているような場合には、光ディスク２８へダビング記録する記録モードとして、２倍記録モード（ＬＰモード）、３倍記録モード（ＥＰモード）のような長時間記録モードではなく、標準記録モード（ＳＰモード）に自動的に設定してダビング記録させることも可能であり、長時間記録モードにより磁気テープ１８に低品質で記録されている記録情報を光ディスク２８にダビング記録する場合に、更に品質劣化を誘発させることなく記録させることができる。
【００９１】
なお、ＤＶＤ記録再生装置２０３′側にも、制御信号検出部２１３′として記録モード検出部２１ｄが備えられており、ＤＶＤ記録再生装置２０３′の光ディスク２８の記録情報を、ＶＴＲ１０３′の磁気テープ１８にダビングする場合も同様に、記録モード検出部２１ｄにおいて、光ディスク２８の記録情報の記録モードを検出して、ダビング先のＶＴＲ１０３′側の制御信号生成部１２３′に転送し、制御信号生成部１２３′に備えられている記録モード生成部１２ｄにより、磁気テープ１８へダビング記録する記録モードを生成して、磁気テープ１８へのダビング記録における記録情報の品質劣化を防止させることができる。
【００９２】
以下に、ＶＴＲ１０３′の磁気テープ１８の記録情報をＤＶＤ記録再生装置２０３′の光ディスク２８へダビング記録する際の動作を例に取って更に詳細に説明する。
ＶＴＲ１０３′側の記録済みの磁気テープ１８には、前述したように、パルス状のコントロール信号が一定の間隔（例えば周期Ａ）で周期的に記録されており、再生時に、磁気ヘッド１７を構成しているコントロールヘッド１７ｃにより読み取ることによって、磁気テープの走行安定性をコントロールしている。
図１１は、ＶＴＲ１０３′の磁気テープ１８の記録情報を再生する場合におけるコントロール信号の信号波形の例を示す波形図であり、図１１（Ａ）は、磁気テープ１８の記録情報が標準記録モード（ＳＰモード）で記録されている場合を示しており、図１１（Ｂ）は、磁気テープ１８の記録情報が３倍記録モード（ＥＰモード）で記録されている場合を示している。
【００９３】
即ち、コントロール信号は、磁気テープ１８へ情報を記録する際に、図２（Ａ）にも示したように、図１０に示す制御信号生成部１２３′により予め定められた一定間隔で出力されるパルス信号により生成されて、コントロールヘッド１７ｃに入力され、磁気テープ１８に一定間隔で磁気記録されている。ここで、記録モードが３倍記録モード（ＥＰモード）の場合、標準記録モード（ＳＰモード）である場合に比し、テープ送り速度が１／３となり、コントロール信号は、標準記録モード（ＳＰモード）の１／３の周期とされて記録されていく。
従って、再生時においては、記録モードが標準記録モード（ＳＰモード）で記録されていた場合は、図１１（Ａ）のように、周期（Ａ）により、ｐ０，ｐ１，…とコントロール信号が周期的に検出されるが、３倍記録モード（ＥＰモード）の場合は、図１１（Ｂ）のように、標準記録モード（ＳＰモード）の１／３の周期（Ａ／３）とされて、ｑ０，ｑ１，ｑ２，ｑ３，…のようにコントロール信号が検出される。
【００９４】
ＶＴＲ１０３′の磁気テープ１８に記録されている記録情報例えば番組等の情報をＤＶＤ記録再生装置２０３′の光ディスク２８へダビング記録する場合、まず、始めに、磁気テープ１８をコントロールヘッド１７ｃに当接させた状態で、微少の走行量のテープ送り又はテープ逆方向送り又はテープ送りとテープ逆方向送りとの繰り返しのいずれかを行い、制御信号検出部１１３′の記録モード検出部１１ｄにおいて、コントロール信号の発生間隔を検出することにより、磁気テープ１８の記録情報の記録モードを検出する。
【００９５】
しかる後、該記録モードの検出結果をダビング先のＤＶＤ記録再生装置２０３′の制御信号生成部２２３′に備えられている記録モード生成部２２ｄに転送し、記録モード生成部２２ｄにおいて、ダビング元のＶＴＲ１０３′から転送されてきた記録モードに基づいて、光ディスク２８へダビング記録する際のダビング側記録モードを生成する。生成されたダビング側記録モードは、当該ＤＶＤ記録再生装置２０３′の情報記録部２４に送出されて、情報記録部２４は、該ダビング側記録モードにより、ダビング元のＶＴＲ１０３′側から転送されてくる記録情報を光ディスク２８に記録していく。
【００９６】
ここで、制御信号検出部１１３′の記録モード検出部１１ｄにおいて検出された磁気テープ１８の記録情報の記録モードが、標準記録モード（ＳＰモード）以外の２倍記録モード（ＬＰモード）、３倍記録モード（ＥＰモード）５倍記録モードなどの長時間記録モードであった場合には、ダビング先のＤＶＤ記録再生装置２０３′の制御信号生成部２２３′の記録モード生成部２２ｄは、光ディスク２８へダビング記録する情報のダビング側記録モードとして２倍記録モード（ＬＰモード）、３倍記録モード（ＥＰモード）のような長時間記録モードが、例えばユーザにより設定されていた場合であっても、自動的に、光ディスク２８へ記録する際のダビング側記録モードを標準記録モード（ＳＰモード）に変更して設定する。
【００９７】
もって、ダビング記録を開始するに先立って、ダビング元となる再生側のＶＴＲ１０３′の磁気テープ１８に記録されている情報の記録モードを検出して、検出された該記録モードの情報に基づいて、たとえ、ユーザによりダビング先のＤＶＤ記録再生装置２０３′の光ディスク２８へダビング記録する情報に関するダビング側記録モードとして長時間記録モードが設定されていたとしても、ＤＶＤ記録再生装置２０３′の光ディスク２８へダビング記録するダビング側記録モードを、ダビング記録後の情報の画質が極端な劣化を示すことがないように、例えば、標準記録モード（ＳＰモード）に自動的に変更して設定することが可能となる。而して、ダビング元の情報の記録モードの如何に無関係に、ユーザが光ディスク２８への情報に関するダビング側記録モードを長時間記録モードに設定してしまい、光ディスク２８にダビング記録された情報が著しく画質劣化して、ダビング作業を再度一からやり直す操作が必要となるような事態の発生を回避することができる。
【００９８】
なお、ＤＶＤ記録再生装置２０３′の光ディスク２８の記録情報を、ＶＴＲ１０３′の磁気テープ１８にダビング記録する場合も、前述したＶＴＲ１０３′の磁気テープ１８の記録情報をＤＶＤ記録再生装置２０３′の光ディスク２８にダビング記録する場合と同様に、ダビング元である光ディスク２８の記録情報の記録モードの検出結果に応じて、ダビング先の磁気テープ１８にダビング記録する際のダビング側記録モードを選択して自動的に設定することが可能である。
【００９９】
【発明の効果】
本発明に係る磁気テープ／光ディスク一体型記録再生装置及び磁気テープ／光ディスク記録再生方法によれば、以下に示すような効果が得られる。
磁気テープ記録再生装置例えばＶＴＲのダビング元の磁気テープ（あるいはカセットテープ）に記録された番組等の情報ブロックが複数個存在しているような場合に、光ディスク記録再生装置の記録媒体例えばＤＶＤ記録再生装置の光ディスクにダビング記録する場合であっても、何ら人為的な煩わしい操作をすることなく、複数個からなる番組等の情報ブロック間の区切りを自動的に検出して、該区切り位置に、各情報を識別可能な区切り情報（例えばタイトルなどの番組情報）を記録情報の一部として追加した形式にして、光ディスクに記録させることができるので、光ディスクへのダビング記録後の記録情報の中から所望の情報ブロックを探し出して編集を行う編集操作を容易に実施することができる。
【０１００】
また、磁気テープ記録再生装置例えばＶＴＲのダビング元の磁気テープ（あるいはカセットテープ）に映像信号や音声信号が何ら記録されていなかったり、磁気ヘッドの目詰まり等の異常により、磁気ヘッドの出力レベルが低下していて、更にダビング記録した場合に正常な映像情報や音声情報が得られないような再生不可能状態が検出された場合であっても、再生可能状態が検出されるまでの間、何ら人為的な煩わしい操作を行うことなく、ダビング先である光ディスク記録再生装置の記録媒体例えばＤＶＤ記録再生装置の光ディスクへの記録動作を自動的に停止させ、再生可能状態が検出された時点から、光ディスクへの記録動作を再開させることができるので、光ディスクへのダビング記録後の記録情報の中から、再生不可能な無駄な情報を探し出して削除するような操作を行う必要もなく、所望の情報に対する編集操作を容易に実施することができる。
【０１０１】
また、ダビング元の磁気テープ記録再生装置例えばＶＴＲの磁気テープ（あるいはカセットテープ）あるいは光ディスク記録再生装置例えばＤＶＤ記録再生装置の光ディスクに記録されている記録情報の中に不正コピーの防止を示す不正コピー防止信号が含まれていた場合であっても、何ら人為的な煩わしい操作を行うことなく、該不正コピー防止信号を自動的に検出して、ダビング先の光ディスクあるいは磁気テープへのダビング記録動作を停止することができるので、ユーザが意図していない情報が不用意にダビング記録されてしまうような事態の発生を未然に防止することができる。
【０１０２】
また、ダビング元の磁気テープ記録再生装置例えばＶＴＲの磁気テープ（あるいはカセットテープ）あるいは光ディスク記録再生装置例えばＤＶＤ記録再生装置の光ディスクに記録されている記録情報の記録モードを自動的に検出して、検出されたダビング元の記録モードに応じて、ダビング先の光ディスクあるいは磁気テープへダビング記録する際のダビング側記録モードを自動的に設定することができるので、ダビング記録後の記録情報の品質劣化に著しい影響を及ぼすような記録モードによるダビング記録動作を未然に防止することができ、再度ダビング記録操作を一からやり直すなどの不都合の発生を回避することができる。
【図面の簡単な説明】
【図１】本発明に係る磁気テープ／光ディスク一体型記録再生装置の実施例の一つであるＶＴＲ／ＤＶＤ一体型記録再生装置の関連回路部に関する第１の構成例を示しているブロック構成図である。
【図２】ＶＴＲの磁気テープの記録情報を再生する場合におけるコントロール信号の信号波形の一例を示す波形図である。
【図３】ＶＴＲの磁気テープの記録情報を再生する場合におけるコントロール信号の信号波形の他の例を示す波形図である。
【図４】コントロールヘッドを含む複数の磁気ヘッドからなるヘッドユニットの構成例を示す模式図である。
【図５】本発明に係る磁気テープ／光ディスク一体型記録再生装置の実施例の一つであるＶＴＲ／ＤＶＤ一体型記録再生装置の関連回路部に関する第２の構成例を示しているブロック構成図である。
【図６】ＶＴＲの映像信号用ヘッド及び音声信号用ヘッドの出力波形とヘッドスイッチングパルス信号との関係を示す模式図である。
【図７】ＶＴＲのＣＨ２側の映像信号用ヘッドに目詰まりが発生したと仮定した場合における映像信号用ヘッドの出力波形とヘッドスイッチングパルス信号との関係を示す模式図である。
【図８】ＶＴＲ側に設けられた再生可否検出部の回路構成の一例を説明するための検出回路と、該検出回路の真理値表とを示す図である。
【図９】本発明に係る磁気テープ／光ディスク一体型記録再生装置の実施例の一つであるＶＴＲ／ＤＶＤ一体型記録再生装置の関連回路部に関する第３の構成例を示しているブロック構成図である。
【図１０】本発明に係る磁気テープ／光ディスク一体型記録再生装置の実施例の一つであるＶＴＲ／ＤＶＤ一体型記録再生装置の関連回路部に関する第４の構成例を示しているブロック構成図である。
【図１１】ＶＴＲの磁気テープの記録情報を再生する場合におけるコントロール信号の信号波形の例を示す波形図である。
【図１２】ＶＴＲの磁気テープに記録されている情報をＤＶＤ録再機の光ディスクにダビング記録する場合の接続構成の従来例を示す接続構成図である。
【符号の説明】
１，１′，１″，１３′…ＶＴＲ／ＤＶＤ一体型記録再生装置、１０，１０′，１０″，１０３′…ＶＴＲ、１１，１１′，１１″，１１３′…制御信号検出部、１１ａ…コントロール信号不連続検出部、１１ｂ…再生可否検出部、１１ｃ…不正コピー信号検出部、１１ｄ…記録モード検出部、１２″，１２３′…制御信号生成部、１２ｃ…コピー禁止信号生成部、１２ｄ…記録モード生成部、１３…情報再生部、１４…情報記録部、１５…再生アンプ、１６…記録アンプ、１７，１７′，１７″…磁気ヘッド、１７−１…リニアオーディオヘッド、１７−２…リニアオーディオイレーズヘッド、１７−３…コントロールイレーズヘッド、１７Ａ…ヘッドユニット、１７ａ…映像信号用ヘッド、１７ｂ…音声信号用ヘッド、１７ｃ…コントロールヘッド、１８…磁気テープ、１８ａ…走行方向、２０，２０′，２０″，２０３′…ＤＶＤ記録再生装置、２１″，２１３′…制御信号検出部、２１ｃ…不正コピー信号検出部、２１ｄ…記録モード検出部、２２，２２′，２２″，２２３′…制御信号生成部、２２ａ…区切り情報生成部、２２ｂ…記録開始／停止信号生成部、２２ｃ…コピー禁止信号生成部、２２ｄ…記録モード生成部、２３…情報再生部、２４…情報記録部、２５…再生アンプ、２６…記録アンプ、２７…ピックアップ、２８…光ディスク、３０…ＶＴＲ、３０Ａ，３０Ｂ…接続コード、４０…ＤＶＤ録再機、Ａ…周期、Ａ１，Ａ２…ヘッド異常信号、Ｂ…上書き開始点、Ｃ，Ｄ…間隔、Ｅ…区間、Ｎ…破線、Ｎ１，Ｎ２…ＮＡＮＤ回路、Ｏ１，Ｏ２，Ｏ３，Ｏ４…出力レベル、Ｓ…再生可否情報、Ｓ１，Ｓ２，Ｓ３…状態、ｐ０，ｐ１，  ｑ０，ｑ１，ｑ２，ｑ３…コントロール信号、Ｓｗ…ヘッドスイッチングパルス信号、Ｔ…閾値レベル、τ…パルス幅、Ｖ１，Ｖ２…ヘッド異常信号。
【図１】
2004288300.tif 000003
【図２】
2004288300.tif 000004
【図３】
2004288300.tif 000005
【図４】
2004288300.tif 000006
【図５】
2004288300.tif 000007
【図６】
2004288300.tif 000008
【図７】
2004288300.tif 000009
【図８】
2004288300.tif 000010
【図９】
2004288300.tif 000011
【図１０】
2004288300.tif 000012
【図１１】
2004288300.tif 000013
【図１２】
2004288300.tif 000014